(57)【特許請求の範囲】
【請求項１】
複数台の行先階情報取得装置のいずれかで取得された行先階情報が示す行先階を、複数台のエレベータのいずれかの号機に割り当てるエレベータの群管理システムであって、
前記複数台の行先階情報取得装置のいずれかで行先階情報が取得されたときに、取得された行先階情報と、前記行先階情報を取得した行先階情報取得装置を識別する装置識別情報とを前記行先階情報取得装置から受信する中継装置と、
前記複数台の行先階情報取得装置の各々に対応させて設けられた複数台の報知装置と、
前記行先階情報が示す行先階を複数台のエレベータのいずれかの号機に割り当てる群管理制御装置と、を備え、
前記中継装置は、
前記行先階情報取得装置から前記行先階情報と前記装置識別情報とを受信したときに受付情報を生成し、前記装置識別情報が示す行先階情報取得装置に対応する報知装置に前記受付情報を送信するとともに、
前記群管理制御装置に前記受付情報と前記行先階情報とを第１の信号送信方法により送信し、
前記群管理制御装置は、割当号機を決定すると、前記割当号機を示す割当号機情報と前記受付情報とを全ての報知装置に第２の信号送信方法により送信し、
各報知装置は、前記群管理制御装置から前記受付情報と前記割当号機情報とを受信した場合、当該受信の前に前記中継装置から前記受付情報を受信していたときは、当該割当号機情報を報知する、
エレベータの群管理システム。
【請求項２】
前記行先階情報取得装置は、
エレベータホールに配置され、利用者が行先階情報を登録するための行先階登録装置において利用者の行先階入力操作により行先階情報を取得する操作部であり、
前記報知装置は、前記行先階登録装置において前記割当号機情報を表示する表示部である、
請求項１に記載のエレベータの群管理システム。
【請求項３】
前記行先階情報取得装置は、
エレベータホールへの利用者の進入を制御するセキュリティゲートに配置され、利用者の通過時に、当該利用者が所持する情報記憶媒体から媒体識別情報を読み取る情報読取部と、
前記情報読取部で読み取られた媒体識別情報に対応する行先階情報を取得する行先階情報取得部と、を含み、
前記報知装置は、前記セキュリティゲートに配置され、前記割当号機情報を表示する表示装置である、
請求項１に記載のエレベータの群管理システム。
【請求項４】
前記複数台の行先階情報取得装置は、複数台の第１の行先階情報取得装置と複数台の第２の行先階情報取得装置とを含み、
前記複数台の報知装置は、前記複数台の第１の行先階情報取得装置の各々に対応して設けられた複数台の第１の報知装置と、前記複数台の第２の行先階情報取得装置の各々に対応して設けられた複数台の第２の報知装置とを含み、
前記第１の行先階情報取得装置は、
エレベータホールに配置され、利用者が行先階情報を登録するための行先階登録装置において利用者の行先階入力操作により行先階情報を取得する入力部であり、
前記第１の報知装置は、前記行先階登録装置において前記割当号機情報を表示する表示部であり、
前記第２の行先階情報取得装置は、
エレベータホールへの利用者の進入を制御するセキュリティゲートに配置され、利用者の通過時に、当該利用者が所持する情報記憶媒体から媒体識別情報を読み取る情報読取部と、
前記情報読取部で読み取られた媒体識別情報に対応する行先階情報を取得する行先階情報取得部と、を含み、
前記第２の報知装置は、前記セキュリティゲートに配置され、前記割当号機情報を表示する表示装置である、
請求項１に記載のエレベータの群管理システム。
【請求項５】
複数台の行先階情報取得装置のいずれかで取得された行先階情報が示す行先階を、複数台のエレベータのいずれかの号機に割り当てるエレベータの群管理システムであって、
前記複数台の行先階情報取得装置のいずれかで行先階情報が取得されたときに、取得された行先階情報と、前記行先階情報を取得した行先階情報取得装置を識別する装置識別情報とを前記行先階情報取得装置から受信する中継装置と、
前記複数台の行先階情報取得装置の各々に対応させて設けられた複数台の報知装置と、
集合表示装置と、
前記行先階情報が示す行先階を複数台のエレベータのいずれかの号機に割り当てる群管理制御装置と、を備え、
前記複数台の行先階情報取得装置は、複数台の第１の行先階情報取得装置と複数台の第２の行先階情報取得装置とを含み、
前記複数台の報知装置は、前記複数台の第１の行先階情報取得装置の各々に対応して設けられた複数台の第１の報知装置と、前記複数台の第２の行先階情報取得装置の各々に対応して設けられた複数台の第２の報知装置とを含み、
前記中継装置は、
（１）前記第１の行先階情報取得装置から前記行先階情報と前記装置識別情報とを受信したときは、受付情報を生成し、前記装置識別情報が示す第１の行先階情報取得装置に対応する第１の報知装置に前記受付情報を送信するとともに、
前記群管理制御装置に前記受付情報と前記行先階情報とを第１の信号送信方法により送信し、
（２）前記第２の行先階情報取得装置から前記行先階情報と前記装置識別情報とを受信したときは、受付情報を生成し、前記集合表示装置と、前記装置識別情報が示す第２の行先階情報取得装置に対応する第２の報知装置とに前記受付情報を送信するとともに、
前記群管理制御装置に前記受付情報と前記行先階情報とを前記第１の信号送信方法により送信し、
前記第２の報知装置は、前記受付情報を受信したときに、当該受付情報を報知し、
前記群管理制御装置は、前記第１の行先階情報取得装置または前記第２の行先階情報取得装置から受信した行先階情報が示す行先階に対して、割当号機を決定すると、前記割当号機を示す割当号機情報と前記受付情報とを全ての第１の報知装置と前記集合表示装置とに第２の信号送信方法により送信し、
各第１の報知装置は、前記群管理制御装置から前記受付情報と前記割当号機情報とを受信した場合、当該受信の前に前記中継装置から前記受付情報を受信していたときは、当該割当号機情報を報知し、
前記集合表示装置は、前記群管理制御装置から前記受付情報と前記割当号機情報とを受信した場合、当該受信の前に前記中継装置から前記受付情報を受信していたときは、前記受付情報及び前記割当号機情報を、これらを対応付けて表示する、
エレベータの群管理システム。
【請求項６】
前記第１の行先階情報取得装置は、
エレベータホールに配置され、利用者が行先階情報を登録するための行先階登録装置において利用者の行先階入力操作により行先階情報を取得する操作部であり、
前記第１の報知装置は、前記行先階登録装置において前記割当号機情報を表示する表示部であり、
前記第２の行先階情報取得装置は、
エレベータホールへの利用者の進入を制御するセキュリティゲートに配置され、利用者の通過時に、当該利用者が所持する情報記憶媒体から媒体識別情報を読み取る情報読取部と、
前記情報読取部で読み取られた媒体識別情報に対応する行先階情報を取得する行先階情報取得部と、を含み、
前記第２の報知装置は、前記セキュリティゲートに配置され、前記受付情報を表示する表示装置である、
請求項５に記載のエレベータの群管理システム。
【請求項７】
前記群管理制御装置は、前記行先階情報を受信した後の所定時間内に受信した他の行先階情報を考慮して、前記所定時間の経過後に割当号機を決定する、
請求項６に記載のエレベータの群管理システム。
【請求項８】
前記所定時間は、前記セキュリティゲートと前記集合表示装置との間の距離に基づいて設定される利用者の標準移動時間である、
請求項７に記載のエレベータの群管理システム。
【請求項９】
前記受付情報は、前記中継装置が前記行先階情報取得装置から前記行先階情報と前記装置識別情報とを受信したときに所定の数値範囲内において１ずつインクリメントして得られる整数でなる受付番号であり、
前記受付番号が前記所定の数値範囲の上限に達したときは、前記所定の数値範囲の下限からインクリメントを行い、
前記所定の数値範囲は、複数台のエレベータの定員の合計値に基づいて設定される、
請求項１から請求項８のいずれか１項に記載のエレベータの群管理システム。
【請求項１０】
複数台の行先階情報取得装置のいずれかで取得された行先階情報が示す行先階を、複数台のエレベータのいずれかの号機に割り当てるエレベータの群管理システムにおける群管理方法であって、
前記群管理システムは、
前記複数台の行先階情報取得装置のいずれかで行先階情報が取得されたときに、取得された行先階情報と、前記行先階情報を取得した行先階情報取得装置を識別する装置識別情報とを前記行先階情報取得装置から受信する中継装置と、
前記複数台の行先階情報取得装置の各々に対応させて設けられた複数台の報知装置と、
前記行先階情報が示す行先階を複数台のエレベータのいずれかの号機に割り当てる群管理制御装置と、を備え、
前記中継装置において、
前記行先階情報取得装置から前記行先階情報と前記装置識別情報とを受信したときに、受付情報を生成し、前記装置識別情報が示す行先階情報取得装置に対応する報知装置に前記受付情報を送信するとともに、
前記群管理制御装置に前記受付情報と前記行先階情報とを第１の信号送信方法により送信し、
前記群管理制御装置において、割当号機を決定すると、前記割当号機を示す割当号機情報と前記受付情報とを全ての報知装置に第２の信号送信方法により送信し、
各報知装置において、前記群管理制御装置から前記受付情報と前記割当号機情報とを受信した場合、当該受信の前に前記中継装置から前記受付情報を受信していたときは、当該割当号機情報を報知する、
エレベータの群管理方法。
【請求項１１】
複数台の行先階情報取得装置のいずれかで取得された行先階情報が示す行先階を、複数台のエレベータのいずれかの号機に割り当てるエレベータの群管理システムにおける群管理方法であって、
前記群管理システムは、
前記複数台の行先階情報取得装置のいずれかで行先階情報が取得されたときに、取得された行先階情報と、前記行先階情報を取得した行先階情報取得装置を識別する装置識別情報とを前記行先階情報取得装置から受信する中継装置と、
前記複数台の行先階情報取得装置の各々に対応させて設けられた複数台の報知装置と、
集合表示装置と、
前記行先階情報が示す行先階を複数台のエレベータのいずれかの号機に割り当てる群管理制御装置と、を備え、
前記複数台の行先階情報取得装置は、複数台の第１の行先階情報取得装置と複数台の第２の行先階情報取得装置とを含み、
前記複数台の報知装置は、前記複数台の第１の行先階情報取得装置の各々に対応して設けられた複数台の第１の報知装置と、前記複数台の第２の行先階情報取得装置の各々に対応して設けられた複数台の第２の報知装置とを含み、
前記中継装置において、
（１）前記第１の行先階情報取得装置から前記行先階情報と前記装置識別情報とを受信したときは、受付情報を生成し、前記装置識別情報が示す第１の行先階情報取得装置に対応する第１の報知装置に前記受付情報を送信するとともに、
前記群管理制御装置に前記受付情報と前記行先階情報とを第１の信号送信方法により送信し、
（２）前記第２の行先階情報取得装置から前記行先階情報と前記装置識別情報とを受信したときは、受付情報を生成し、前記集合表示装置と、前記装置識別情報が示す第２の行先階情報取得装置に対応する第２の報知装置とに前記受付情報を送信するとともに、
前記群管理制御装置に前記受付情報と前記行先階情報とを前記第１の信号送信方法により送信し、
前記第２の報知装置において、前記受付情報を受信したときに、当該受付情報を報知し、
前記群管理制御装置において、前記第１の行先階情報取得装置または前記第２の行先階情報取得装置から受信した行先階情報が示す行先階に対して、割当号機を決定すると、前記割当号機を示す割当号機情報と前記受付情報とを全ての第１の報知装置と前記集合表示装置とに第２の信号送信方法により送信し、
各第１の報知装置において、前記群管理制御装置から前記受付情報と前記割当号機情報とを受信した場合、当該受信の前に前記中継装置から前記受付情報を受信していたときは、当該割当号機情報を報知し、
前記集合表示装置において、前記群管理制御装置から前記受付情報と前記割当号機情報とを受信した場合、当該受信の前に前記中継装置から前記受付情報を受信していたときは、前記受付情報及び前記割当号機情報を、これらを対応付けて表示する、
エレベータの群管理方法。
【発明の詳細な説明】
【技術分野】
【０００１】
本発明は、複数台のエレベータの運行を制御するエレベータの群管理システム及び群管理方法に関する。
【背景技術】
【０００２】
特許文献１は、エレベータの群管理システムを開示している。この群管理システムは、セキュリティゲートで取得された利用者情報に基づいて照合制御装置により取得した行先階や、乗場行先階登録装置で利用者により入力された行先階を、複数台のエレベータのうちのいずれかの号機に割り当てる群管理盤を備えている。
【０００３】
群管理盤は、照合制御装置から受信した行先階情報が示す行先階に対して割り当てた号機を示す情報（割当号機情報）を照合制御装置に送信し、照合制御装置は、受信した割当号機情報を、複数台のセキュリティゲート２のうち利用者情報を取得したセキュリティゲートの表示装置に表示させる。
【０００４】
一方、群管理盤は、乗場行先階登録装置から受信した行先階を示す情報（行先階情報）に対しては、割り当てた号機を示す情報（割当号機情報）を、乗場行先階登録装置に送信し、乗場行先階登録装置は、受信した割当号機情報をその表示部に表示する。
【先行技術文献】
【特許文献】
【０００５】
【特許文献１】特許第５３８１９９０号公報
【発明の概要】
【発明が解決しようとする課題】
【０００６】
特許文献１の群管理盤（群管理制御装置）は、セキュリティゲート側の照合制御装置との間では、群管理盤が有する通信手段（２２）を介して行先階情報及び割当号機情報の送受信を行い、乗場行先階登録装置との間ではエレベータ制御盤が有する通信手段（１２）を介して行先階情報及び割当号機情報の送受信を行う。すなわち、特許文献１の群管理盤１は、行先階情報及び割当号機情報を送受信するために、セキュリティゲート側の照合制御装置との間で通信を行うためのインタフェースと、乗場行先階登録装置との間で通信を行うためのインタフェースとを、個別に備えている。
【０００７】
本発明は、行先階情報を取得する行先階情報取得装置及び割当号機情報を報知する報知装置としてどのような装置が設けられるかによらず、群管理制御装置において、行先階情報取得装置及び報知装置との間で行先階情報及び割当号機情報を送受信するための構成を共通化可能なエレベータの群管理システム及び群管理方法を提供する。
【課題を解決するための手段】
【０００８】
本発明の第１の態様のエレベータの群管理システムは、
複数台の行先階情報取得装置のいずれかで取得された行先階情報が示す行先階を、複数台のエレベータのいずれかの号機に割り当てる。
エレベータの群管理システムは、
複数台の行先階情報取得装置のいずれかで行先階情報が取得されたときに、取得された行先階情報と、行先階情報を取得した行先階情報取得装置を識別する装置識別情報とを行先階情報取得装置から受信する中継装置と、
複数台の行先階情報取得装置の各々に対応させて設けられた複数台の報知装置と、
行先階情報が示す行先階を複数台のエレベータのいずれかの号機に割り当てる群管理制御装置と、を備える。
中継装置は、行先階情報取得装置から行先階情報と装置識別情報とを受信したときに、受付情報を生成し、装置識別情報が示す行先階情報取得装置に対応する報知装置に受付情報を送信するとともに、群管理制御装置に受付情報と行先階情報とを第１の信号送信方法により送信する。
群管理制御装置は、割当号機を決定すると、割当号機を示す割当号機情報と受付情報とを全ての報知装置に第２の信号送信方法により送信する。
各報知装置は、群管理制御装置から受付情報と割当号機情報とを受信した場合、当該受信の前に中継装置から受付情報を受信していたときは、当該割当号機情報を報知する。
【０００９】
本発明の第２の態様のエレベータの群管理システムは、
複数台の行先階情報取得装置のいずれかで取得された行先階情報が示す行先階を、複数台のエレベータのいずれかの号機に割り当てる。
エレベータの群管理システムは、
複数台の行先階情報取得装置のいずれかで行先階情報が取得されたときに、取得された行先階情報と、行先階情報を取得した行先階情報取得装置を識別する装置識別情報とを行先階情報取得装置から受信する中継装置と、
複数台の行先階情報取得装置の各々に対応させて設けられた複数台の報知装置と、
集合表示装置と、
行先階情報が示す行先階を複数台のエレベータのいずれかの号機に割り当てる群管理制御装置と、を備える。
中継装置は、
（１）第１の行先階情報取得装置から行先階情報と装置識別情報とを受信したときは、受付情報を生成し、装置識別情報が示す第１の行先階情報取得装置に対応する第１の報知装置に受付情報を送信するとともに、
群管理制御装置に受付情報と行先階情報とを第１の信号送信方法により送信し、
（２）第２の行先階情報取得装置から行先階情報と装置識別情報とを受信したときは、受付情報を生成し、集合表示装置と、装置識別情報が示す第２の行先階情報取得装置に対応する第２の報知装置とに受付情報を送信するとともに、
群管理制御装置に受付情報と行先階情報とを第１の信号送信方法により送信する。
第２の報知装置は、受付情報を受信したときに、当該受付情報を報知する。
群管理制御装置は、第１の行先階情報取得装置または第２の行先階情報取得装置から受信した行先階情報が示す行先階に対して、割当号機を決定すると、割当号機を示す割当号機情報と受付情報とを全ての第１の報知装置と集合表示装置とに第２の信号送信方法により送信する。
各第１の報知装置は、群管理制御装置から受付情報と割当号機情報とを受信した場合、当該受信の前に中継装置から受付情報を受信していたときは、当該割当号機情報を報知する。
集合表示装置は、群管理制御装置から受付情報と割当号機情報とを受信した場合、当該受信の前に中継装置から受付情報を受信していたときは、受付情報及び割当号機情報を、これらを対応付けて表示する。
【００１０】
また、本発明は、前記第１の態様のエレベータの群管理システムに対応する群管理方法、及び前記第２の態様のエレベータの群管理システムに対応する群管理方法を提供する。
【発明の効果】
【００１１】
本発明の第１の態様によれば、群管理制御装置は、複数台の行先階情報取得装置のいずれかで行先階情報が取得されたときに、中継装置から受付情報と行先階情報とを第１の信号送信方法により受信し、受信した行先階情報に基づいて割当号機を決定する。割当号機を決定すると、群管理制御装置は、割当号機を示す割当号機情報と受付情報とを全ての報知装置に第２の信号送信方法により送信する。報知装置は、群管理制御装置から受付情報と割当号機情報とを受信した場合、当該受信の前に中継装置から受付情報を受信していたときは、当該割当号機情報を報知する。このように、本発明の第１の態様によれば、群管理制御装置は、受付情報と行先階情報とを中継装置から受信可能でかつ受付番号と割当号機情報とを全ての報知装置に第２の信号送信方法により送信可能な構成を有していればよい。よって、行先階情報を取得する行先階情報取得装置、及び割当号機情報を報知する報知装置としてどのような装置が設けられるかによらず、行先階情報取得装置及び報知装置との間で行先階情報及び割当号機情報を送受信するための、群管理制御装置における構成を共通化できる。
【００１２】
本発明の第２の態様によれば、群管理制御装置は、複数台の行先階情報取得装置のいずれかで行先階情報が取得されたときに、中継装置から受付情報と行先階情報とを受信し、受信した行先階情報に基づいて割当号機を決定する。割当号機を決定すると、群管理制御装置は、割当号機を示す割当号機情報と受付情報とを全ての第１の報知装置及び集合表示装置に第２の信号送信方法により送信する。第１の報知装置及び集合表示装置は、群管理制御装置から受付情報と割当号機情報とを受信した場合、当該受信の前に中継装置から受付情報を受信していたときは、当該割当号機情報を報知または表示する。このように、本発明の第２の態様によれば、群管理制御装置は、受付情報と行先階情報とを中継装置から受信可能でかつ受付情報と割当号機情報とを集合表示装置に第２の信号送信方法により送信可能な構成を有していればよい。よって、行先階情報を取得する行先階情報取得装置、及び割当号機情報を表示する集合表示装置としてどのような装置が設けられるかによらず、行先階情報取得装置及び集合表示装置との間で行先階情報及び割当号機情報を送受信するための、群管理制御装置における構成を共通化できる。
【図面の簡単な説明】
【００１３】
【図１】実施形態１に係るエレベータの群管理システムが適用されるビルの特定階における配置を示す概略図である。
【図２】実施形態１に係るエレベータの群管理システムの構成を示すブロック図である。
【図３】実施形態１における群管理制御装置（エレベータ制御装置、中継装置、セキュリティサーバ）の電気的構成を示すブロック図である。
【図４】実施形態１における行先階登録装置の電気的構成を示すブロック図である。
【図５】実施形態１に係るエレベータの群管理システムにおける行先階登録装置の表示部の表示例を示す図である。
【図６】実施形態１におけるエレベータ制御装置の電気的構成を示すブロック図である。
【図７】実施形態１におけるセキュリティゲートの外観を示す斜視図である。
【図８】実施形態１におけるセキュリティゲートの電気的構成を示すブロック図である。
【図９】実施形態１におけるゲート表示器の電気的構成を示すブロック図である。
【図１０】実施形態１に係るエレベータの群管理システムにおけるセキュリティゲートに設置されるゲート表示器において、群管理システムが割当てた号機を利用者へ案内する表示例を示す図である。
【図１１】実施形態１におけるセキュリティサーバの電気的構成を示すブロック図である。
【図１２】実施形態１におけるセキュリティサーバの記憶部に格納されている行先階テーブルの構成を示す図である。
【図１３】実施形態１における中継装置の電気的構成を示すブロック図である。
【図１４】実施形態１における中継装置の記憶部に格納されているアドレステーブルの構成を示す図である。
【図１５】実施形態１に係るエレベータの群管理システムにおいてセキュリティゲートを利用者が通過したときに行われる号機割当処理の流れを示すフローチャートである。
【図１６】実施形態１に係るエレベータの群管理システムにおいて行先階登録装置で行先階登録が行われたときに行われる号機割当処理の流れを示すフローチャートである。
【図１７】実施形態１に係るエレベータの群管理システムのゲート表示器及び行先階登録装置での割当号機表示処理の流れを示すフローチャートである。
【図１８】実施形態２に係るエレベータの群管理システムの構成を示すブロック図である。
【図１９】実施形態２に係るエレベータの群管理システムが適用されるビルの特定階における配置を示す概略図である。
【図２０】実施形態２に係るエレベータの群管理システムにおけるゲート表示器の表示例を示す図である。
【図２１】実施形態２に係るエレベータの群管理システムにおける集合表示装置の表示例を示す図である。
【図２２】実施形態２における集合表示装置の電気的構成を示すブロック図である。
【図２３】実施形態２に係るエレベータの群管理システムにおいてセキュリティゲートを利用者が通過したときに行われる処理の流れを示すフローチャートである。
【図２４】実施形態２に係るエレベータの群管理システムにおけるゲート表示器での整理番号表示処理の流れを示すフローチャートである。
【図２５】他の実施形態における中継装置の記憶部に格納されているアドレステーブルの構成を示す図である。
【発明を実施するための形態】
【００１４】
本発明の実施形態に係るエレベータの群管理システムについて、図面を参照して説明する。
【００１５】
（実施形態１）
１．構成
１−１．エレベータの群管理システムの概要
本実施形態に係るエレベータの群管理システムの概要について説明する。図１は、実施形態１に係るエレベータの群管理システムが適用されるビルの特定階における配置を示す概略図である。ここで、特定階とは例えば当該ビルの外部につながるロビー階である。ビルの利用者は特定階を経由して他の階に移動することとなる。
【００１６】
本実施形態に係るエレベータの群管理システムは、エレベータ（Ａ号機〜Ｆ号機。以下適宜「号機」という）６０Ａ〜６０Ｆの走行および運行を統合的に制御する。本実施形態では、一例としてＡ号機からＦ号機の６台のエレベータ６０Ａ〜６０Ｆが設けられている。各エレベータ６０Ａ〜６０Ｆの乗車用開口がエレベータホール側に設けられており、利用者はエレベータホールからエレベータ６０Ａ〜６０Ｆに乗車する。なお、複数台のエレベータ６０Ａ〜６０Ｆは互いに同一の構成を有する。そのため、構成等の説明において区別する必要がない場合、適宜、各エレベータを「エレベータ６０」という。
【００１７】
本実施形態では、ビルのロビー階等の特定階において、複数台のセキュリティゲート２０Ａ〜２０Ｃがエントランスとエレベータホールとの間に設置されているものとする。複数台のセキュリティゲート２０Ａ〜２０Ｃは並列にして設置されている。なお、複数台のセキュリティゲート２０Ａ〜２０Ｃは互いに同一の構成を有する。そのため、構成等の説明において区別する必要がない場合、適宜、各セキュリティゲートを「セキュリティゲート２０」という。利用者は、エントランス側からいずれかのセキュリティゲート２０を通過してエレベータホールに進入する。
【００１８】
また、特定階において、図１に示すように、行先階登録装置３０Ａがエレベータホール内に設置されているものとする。なお、セキュリティゲート２０が設けられていない特定階以外の各階には、行先階登録装置３０Ｂ〜３０Ｚが設けられている（図２参照）。特定階の行先階登録装置３０Ａは、エレベータホール内に進入した利用者が、指定されたエレベータ６０に乗り遅れたとき、あるいはＩＤカードに登録されていないフロアに移動するときなどに、任意の行先階を登録可能とするために設けられている。なお、複数台の行先階登録装置３０Ａ〜３０Ｚは互いに同一の構成を有する。そのため、構成等の説明において区別する必要がない場合、適宜、各行先階登録装置を「行先階登録装置３０」という。
【００１９】
本実施形態に係るエレベータの群管理システムでは、行先階登録方式を採用しており、新規に発生した行先階呼びを、複数台のエレベータ６０のいずれかの号機に割り当てる制御を行う。具体的な制御については、後述する。
【００２０】
１−２．エレベータの群管理システムの構成
１−２−１．概要
本実施形態に係るエレベータの群管理システムの構成を説明する。図２は、実施形態１に係るエレベータの群管理システムの構成を示すブロック図である。本実施形態に係るエレベータの群管理システムは、群管理制御装置１０と、複数台の行先階登録装置３０Ａ〜３０Ｚと、複数台のエレベータ制御装置４０Ａ〜４０Ｆと、複数台のゲート表示器７０と、中継装置５０とを有する。ゲート表示器７０は、セキュリティゲート２０毎に設けられている。
【００２１】
ここで、セキュリティゲート２０は、ビル側の設備であり、同じくビル側の設備であるセキュリティサーバ１００により管理される。エレベータの群管理システムは、中継装置５０を介して、セキュリティサーバ１００との間で通信を行いながら、各号機に対する新規行先階呼びの割当制御を行う。各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった、各装置（ノード）のＩＰアドレスを指定した通信（第１の信号伝送方法）や、ブロードキャストアドレスを指定した通信（第２の信号伝送方法）による信号伝送（情報伝送）が可能である。なお、以下において、各装置（ノード）のＩＰアドレスを指定した通信方法を、第１の信号伝送方法という。また、ブロードキャストアドレスを指定した通信（第２の信号伝送方法）による信号伝送（情報伝送）方法を、適宜「ブロードキャスト」や「第２の信号伝送方法」という。
【００２２】
各エレベータ（各号機）６０Ａ〜６０Ｆは、かご、巻上機（モータ）、釣合おもり等を有する。各エレベータ制御装置４０Ａ〜４０Ｆは、群管理制御装置１０からの制御信号に基づいて、巻上機（モータ）の動作を制御することにより、各エレベータ６０Ａ〜６０Ｆのかごの上昇、下降、停止等を制御する。複数台のエレベータ制御装置４０Ａ〜４０Ｆは互いに同一の構成を有する。そのため、構成等の説明において区別する必要がない場合、適宜、各エレベータ制御装置を「エレベータ制御装置４０」という。
【００２３】
１−２−２．群管理制御装置
群管理制御装置１０は、セキュリティゲート２０においてＩＤカードから読み取られたカードＩＤに対応する行先階、または行先階登録装置３０において入力された行先階を、複数台のエレベータ６０Ａ〜６０Ｆのうちのいずれかのエレベータ（号機）に割り当てる制御を行う。
【００２４】
図３は、実施形態１における群管理制御装置１０の電気的構成を示すブロック図である。
【００２５】
群管理制御装置１０は、コンピュータを利用して構成され、制御部１１と、記憶部１２と、入出力インタフェース１３とを備える。
【００２６】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。
【００２７】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００２８】
入出力インタフェース１３は、例えばＬＡＮアダプタ等を利用して構成される。入出力インタフェース１３は、群管理制御装置１０と、セキュリティゲート２０（２０Ａ〜２０Ｃ）の各ゲート表示器７０、行先階登録装置３０（３０Ａ〜３０Ｚ）、中継装置５０、及びエレベータ制御装置４０（４０Ａ〜４０Ｆ）との間で各種信号を送受信するためのインタフェースである。入出力インタフェース１３は、制御部１１から出力される信号を所定の形式の信号に変換して各ゲート表示器７０、行先階登録装置３０、中継装置５０、及びエレベータ制御装置４０に出力する。また、入出力インタフェース１３は、セキュリティゲート２０の各ゲート表示器７０、行先階登録装置３０、中継装置５０、及びエレベータ制御装置４０から入力された信号を所定の形式の信号に変換して制御部１１に出力する。
【００２９】
１−２−３．行先階登録装置
図４は、実施形態１における行先階登録装置３０の電気的構成を示すブロック図である。行先階登録装置３０は、利用者が行先階の登録を行うための装置である。行先階登録装置３０は、制御部３１と、記憶部３２と、入出力インタフェース３３と、表示部３４と、操作部３５とを備える。
【００３０】
記憶部３２は、例えばＲＡＭ、ＲＯＭ、ＨＤＤ、ＳＳＤ等を利用して構成され、プログラム、及び種々のデータを格納している。プログラムは、本実施形態の行先階登録装置３０の各種機能を実現するためのプログラムを含む。
【００３１】
制御部３１は、例えばＣＰＵ、ＭＰＵ等を利用して構成される。制御部３１は、記憶部３２から読み出した上記プログラムに基づいて種々のデータ等を利用して演算処理を行うことにより、行先階登録装置３０における後述する各種の機能を実現する。
【００３２】
入出力インタフェース３３は、例えばＬＡＮアダプタ等を利用して構成される。入出力インタフェース３３は、行先階登録装置３０と、中継装置５０及び群管理制御装置１０との間で各種信号を送受信するためのインタフェースである。入出力インタフェース３３は、制御部３１から出力された信号を所定の形式の信号に変換して中継装置５０及び群管理制御装置１０に出力する。また、入出力インタフェース３３は、中継装置５０及び群管理制御装置１０から入力された信号を所定の形式の信号に変換して制御部３１に出力する。
【００３３】
操作部３５は、利用者が行先階を入力するためのインタフェースである。操作部３５は、操作部３５の操作内容に対応する信号を制御部３１に出力する。
【００３４】
表示部３４は、制御部３１から出力される表示信号に基づく表示を行う。
【００３５】
表示部３４及び操作部３５は、例えば液晶ディスプレイパネルや有機ＥＬディスプレイパネルを利用したタッチパネル式表示装置により一体的に構成されている。なお、表示部３４と操作部３５とは、異なる部品を利用して別々に構成されてもよい。
【００３６】
図５は、実施形態１に係るエレベータの群管理システムにおける行先階登録装置３０の表示部３４の表示例を示す図である。本例では、階数を指定するためのテンキーが表示されている。図５では、９階が指定され、Ａ号機が割り当てられたことが示されている。なお、行先階登録装置３０は、操作部３５に対して行先階の入力操作が行われると、入力された行先階を表示し、その後、群管理制御装置１０から当該行先階登録装置３０に対応する割当結果情報を受信すると、受信した割当結果情報に含まれる割当号機情報を、表示中の行先階に対応付けて図５に示すように表示する。
【００３７】
１−２−４．エレベータ制御装置
各エレベータ制御装置４０（エレベータ制御装置４０Ａ〜４０Ｆ）は、群管理制御装置１０からの制御信号にしたがって、対応するエレベータ６０Ａ〜６０Ｆをそれぞれ駆動制御する。また、エレベータ制御装置４０Ａ〜４０Ｆはそれぞれ、対応するエレベータ６０Ａ〜６０Ｆのかごの位置、走行方向、ドアの開閉状態、荷重等を含むかご状態を検知して、検知したかご状態を示す情報を含むかご状態信号を群管理制御装置１０に出力する。
【００３８】
図６は、実施形態１におけるエレベータ制御装置の電気的構成を示すブロック図である。各エレベータ制御装置４０（エレベータ制御装置４０Ａ〜４０Ｆ）は、制御部４１と、記憶部４２と、入出力インタフェース４３と、を備える。
【００３９】
記憶部４２は、例えばＲＡＭ、ＲＯＭ、ＨＤＤ、ＳＳＤ等を利用して構成され、プログラム、及び種々のデータを格納している。プログラムは、本実施形態のエレベータ制御装置４０の各種機能を実現するためのプログラムを含む。
【００４０】
制御部４１は、例えばＣＰＵ、ＭＰＵ等を利用して構成される。制御部４１は、記憶部４２から読み出した上記プログラムに基づいて種々のデータ等を利用して演算処理を行うことにより、エレベータ制御装置４０における後述する各種の機能を実現する。
【００４１】
入出力インタフェース４３は、例えばＬＡＮアダプタ等を利用して構成される。入出力インタフェース４３は、エレベータ制御装置４０と群管理制御装置１０との間で各種信号を送受信するためのインタフェースである。入出力インタフェース４３は、制御部４１から出力された信号を所定の形式の信号に変換して群管理制御装置１０に出力する。また、入出力インタフェース４３は、群管理制御装置１０から入力された信号を所定の形式の信号に変換して制御部４１に出力する。
【００４２】
１−２−５．セキュリティゲート
セキュリティゲート２０は、エレベータホール内への利用者の進入を許可または規制するための装置である。セキュリティゲート２０は、ビル側のセキュリティ設備として設けられている。セキュリティゲート２０は、所定のＩＤカードを所持する利用者についてのみエレベータホールへの進入を許可する。
【００４３】
図７は、実施形態１におけるセキュリティゲート２０の外観を示す斜視図である。セキュリティゲート２０は、ゲート本体２０ａと、第１センサ２６と、第２センサ２７と、カードリーダ２５と、ゲート表示器７０と、ゲートフラッパ２８とを備える。
【００４４】
ゲート本体２０ａの外面には、上記の第１センサ２６と、第２センサ２７と、カードリーダ２５と、ゲート表示器７０とが取り付けられている。ゲート本体２０ａは、後述する制御部２１等を収納する筐体である。複数のゲート本体２０ａは、それぞれ利用者の進行方向に沿って、所定距離間隔で並列に設置される（図１参照）。隣接するゲート本体２０ａの間には、利用者が通過可能な通路ＰＡが形成されている。
【００４５】
カードリーダ２５は、セキュリティゲート２０を通過する利用者が所持するＩＤカードに記録されたカードＩＤを読み取る。カードリーダ２５は、例えば電磁誘導方式の非接触型カードリーダで構成される。なお、カードリーダ２５は、接触型カードリーダで構成されてもよい。カードリーダ２５は、情報読取部の一例である。
【００４６】
カードリーダ２５は、制御部、記憶部、入出力インタフェース、リーダ本体等を備え、制御部が、記憶部に記憶されたプログラムに基づいて種々のデータ等に対して演算処理を行うことにより、カードリーダ２５における各種の機能を実現する。記憶部には、データとして、例えば、当該カードリーダ２５が配置されたセキュリティゲート２０の装置識別情報（以下適宜「デバイスＩＤ」という）が格納されている。
【００４７】
ゲート表示器７０は、割当号機情報を表示する。ゲート表示器７０の詳細な構成については後述する。
【００４８】
第１センサ２６は、セキュリティゲート２０間の通路ＰＡの入口２０ｉ側における利用者の移動を検知する。第１センサ２６及び第２センサ２７は、利用者の移動を検知すると、検知信号を出力する。
【００４９】
第２センサ２７は、セキュリティゲート２０間の通路ＰＡの出口２０ｅ側における利用者の移動を検知する。第１センサ２６及び第２センサ２７は、利用者の移動を検知すると、検知信号を出力する。
【００５０】
ゲートフラッパ２８は、開閉自在の扉である。ゲートフラッパ２８は、開いた状態において、利用者がセキュリティゲート２０を通過することを可能とする。ゲートフラッパ２８は、閉じた状態において、利用者がセキュリティゲート２０を通過することを妨げる。
【００５１】
図８は、実施形態１におけるセキュリティゲート２０の電気的構成を示すブロック図である。セキュリティゲート２０は、上述の構成要素に加えてさらに、制御部２１と、記憶部２２と、入出力インタフェース２３とを備える。
【００５２】
記憶部２２は、例えばＲＡＭ、ＲＯＭ、ＨＤＤ、ＳＳＤ等を利用して構成され、プログラム、及び種々のデータを格納している。プログラムは、本実施形態におけるセキュリティゲート２０の各種機能を実現するためのプログラムを含む。
【００５３】
制御部２１は、例えばＣＰＵ、ＭＰＵ等を利用して構成される。制御部２１は、記憶部２２に格納されたプログラムに基づいて種々のデータ等を利用して演算処理を行うことにより、セキュリティゲート２０における後述する各種の機能を実現する。
【００５４】
制御部２１は、第１センサ２６及び第２センサ２７からの検知信号、及びセキュリティサーバ１００からの認証結果情報に基づいて、ゲートフラッパ２８を開閉する。
【００５５】
カードリーダ２５は、ＩＤカードに記録されたカードＩＤを読み取ると、読み取ったカードＩＤと、当該セキュリティゲート２０のデバイスＩＤとを、セキュリティサーバ１００に送信する。
【００５６】
入出力インタフェース２３は、例えばＬＡＮアダプタ等を利用して構成される。入出力インタフェース２３は、セキュリティゲート２０とセキュリティサーバ１００との間で各種信号を送受信するためのインタフェースである。入出力インタフェース２３は、制御部２１及びカードリーダ２５から出力された信号を所定の形式の信号に変換してセキュリティサーバ１００に出力する。また、入出力インタフェース２３は、セキュリティサーバ１００から入力された信号を所定の形式の信号に変換して制御部２１に出力する。
【００５７】
１−２−６．ゲート表示器
ゲート表示器７０は、当該ゲート表示器７０が設けられたセキュリティゲート２０を通過する利用者（本利用者が提示したＩＤカードに対応するカードＩＤ）に割り当てられたエレベータを示す割当号機情報を表示する表示装置である。
【００５８】
図９は、実施形態１におけるゲート表示器７０の電気的構成を示すブロック図である。ゲート表示器７０は、中継装置５０や群管理制御装置１０から受信した情報に基づく表示制御が可能なように、コンピュータを利用して構成されている。ゲート表示器７０は、図９に示すように、制御部７１と、記憶部７２と、入出力インタフェース７３と、表示部７４とを備える。
【００５９】
記憶部７２は、例えばＲＡＭ、ＲＯＭ、ＨＤＤ、ＳＳＤ等を利用して構成され、プログラム、及び種々のデータを格納している。プログラムは、本実施形態のゲート表示器７０の後述する各種機能を実現するためのプログラムを含む。
【００６０】
制御部７１は、例えばＣＰＵ、ＭＰＵ等を利用して構成される。制御部７１は、記憶部７２から読み出した上記プログラムに基づいて種々のデータ等を利用して演算処理を行うことにより、ゲート表示器７０における後述する各種の機能を実現する。
【００６１】
入出力インタフェース７３は、例えばＬＡＮアダプタ等を利用して構成される。入出力インタフェース７３は、ゲート表示器７０と、中継装置５０及び群管理制御装置１０との間で各種信号を送受信するためのインタフェースである。入出力インタフェース７３は、制御部７１から出力された信号を所定の形式の信号に変換して中継装置５０及び群管理制御装置１０に出力する。また、入出力インタフェース７３は、中継装置５０及び群管理制御装置１０から入力された信号を所定の形式の信号に変換して制御部７１に出力する。
【００６２】
表示部７４は、例えば液晶ディスプレイパネルや有機ＥＬディスプレイパネルを利用して構成されている。
【００６３】
図１０は、実施形態１に係るエレベータの群管理システムにおけるゲート表示器７０の表示例を示す図である。ゲート表示器７０は、セキュリティゲート２０に設置され群管理システムが割当てた号機を利用者へ案内するための表示器である。このゲート表示器７０はセキュリティゲート２０に設置されるが、システムとしてはエレベータの群管理システムの一部である。本例では、ゲート表示器７０は、Ａ号機が割り当てられたことを示している。
【００６４】
１−２−７．セキュリティサーバ
セキュリティサーバ１００は、セキュリティゲート２０のカードリーダ２５で読み取られたカードＩＤに基づく認証制御動作を行い、認証結果情報をセキュリティゲート２０の制御部２１に送信する。また、セキュリティサーバ１００は、行先階情報、出発階情報、及びデバイスＩＤを中継装置５０に出力する。
【００６５】
図１１は、実施形態１におけるセキュリティサーバ１００の電気的構成を示すブロック図である。セキュリティサーバ１００は、コンピュータを利用して構成され、制御部１０１と、記憶部１０２と、入出力インタフェース１０３と、を備える。
【００６６】
記憶部１０２は、例えばＲＡＭ、ＲＯＭ、ＨＤＤ、ＳＳＤ等を利用して構成され、プログラム、及び種々のデータを格納している。プログラムは、本実施形態のセキュリティサーバ１００の後述する各種機能を実現するためのプログラムを含む。記憶部１０２は、データとして、例えば以下の行先階テーブルを格納している。
【００６７】
図１２は、実施形態１におけるセキュリティサーバ１００の記憶部１０２に格納されている行先階テーブルの構成を示す図である。行先階テーブルは、ＩＤカードのカードＩＤと、行先階とを対応付けて記録したテーブルである。本行先階テーブルでは、カードＩＤ“００００００１”に対応付けて行先階“１０階”が記録され、カードＩＤ“００００００２”に対応付けて行先階“８階”が記録され、カードＩＤ“００００００３”に対応付けて行先階“１５階”が記録され、それ以外のカードＩＤについても、対応する行き先階が同様に記録されている。
【００６８】
また、記憶部１０２は、データとして、各セキュリティゲート２０の設置階を示す設置階情報を記憶している。設置階情報は、セキュリティゲート２０を通過した利用者の出発階情報として利用される。なお、セキュリティゲート２０が複数の階に設置されている場合、記憶部１０２に、例えば、セキュリティゲート２０のデバイスＩＤと設置階情報とを対応付けて記録したゲート情報テーブルを格納しておいてもよい。この場合、セキュリティゲート２０からデバイスＩＤを受信したときに、ゲート情報テーブルからデバイスＩＤに対応する設置階情報を取得し、取得した設置階情報を出発階情報として利用すればよい。
【００６９】
制御部１０１は、例えばＣＰＵ、ＭＰＵ等を利用して構成される。制御部１０１は、記憶部１０２から読み出した上記プログラムに基づいて種々のデータ等を利用して演算処理を行うことにより、セキュリティサーバ１００における後述する各種の機能を実現する。
【００７０】
入出力インタフェース１０３は、例えばＬＡＮアダプタ等を利用して構成される。入出力インタフェース１０３は、セキュリティサーバ１００と、セキュリティゲート２０（カードリーダ２５及び制御部２１）及び中継装置５０との間で各種信号を送受信するためのインタフェースである。入出力インタフェース１０３は、制御部１０１から出力された信号を所定の形式の信号に変換してセキュリティゲート２０（カードリーダ２５及び制御部２１）及び中継装置５０に出力する。また、入出力インタフェース１０３は、セキュリティゲート２０（カードリーダ２５及び制御部２１）及び中継装置５０から入力された信号を所定の形式の信号に変換して制御部１０１に出力する。
【００７１】
１−２−８．中継装置
中継装置５０は、ビル側設備であるセキュリティサーバ１００とのインタフェースを構成する装置である。
【００７２】
図１３は、実施形態１における中継装置の電気的構成を示すブロック図である。中継装置５０は、群管理制御装置１０同様、コンピュータを利用して構成され、制御部５１と、記憶部５２と、入出力インタフェース５３と、を備える。
【００７３】
記憶部５２は、例えばＲＡＭ、ＲＯＭ、ＨＤＤ、ＳＳＤ等を利用して構成され、プログラム、及び種々のデータを格納している。プログラムは、本実施形態の中継装置５０における後述する各種機能を実現するためのプログラムを含む。記憶部５２は、データとして、例えば以下のアドレステーブルを格納している。
【００７４】
図１４は、実施形態１における中継装置５０の記憶部５２に格納されているアドレステーブルの構成を示す図である。アドレステーブルは、後述する受付番号（受付情報）を行先階登録装置３０またはゲート表示器７０に送信する際に用いられるアドレス（ＩＰアドレス）を格納している。アドレステーブルは、セキュリティゲート２０のデバイスＩＤと、当該セキュリティゲート２０に設置されているゲート表示器７０のアドレスとを対応付けて記録している。また、アドレステーブルは、行先階登録装置３０のデバイスＩＤと、当該行先階登録装置３０のアドレス（ＩＰアドレス等）とを対応付けて記録している。本図１４に示すアドレステーブルの例では、セキュリティゲート２０Ａのゲート表示器７０のデバイスＩＤ“Ｄ００００００１”に対応付けて、当該セキュリティゲート２０Ａに設置されているゲート表示器７０のアドレス“Ａ１”が記録されている。また、セキュリティゲート２０ＢのデバイスＩＤ“Ｄ００００００２”に対応付けて、当該セキュリティゲート２０Ｂに設置されているゲート表示器のアドレス“Ａ２”が記録されている。また、セキュリティゲート２０ＣのデバイスＩＤ“Ｄ００００００３”に対応付けて、当該セキュリティゲート２０Ｃに設置されているゲート表示器７０のアドレス“Ａ３”が記録されている。また、行先階登録装置３０ＡのデバイスＩＤ“Ｅ００００００１”に対応付けて当該行先階登録装置３０Ａのアドレス“Ｂ１”が記録されている。また、行先階登録装置３０ＢのデバイスＩＤ“Ｅ００００００２”に対応付けて当該行先階登録装置３０Ｂのアドレス“Ｂ２”が記録されている。また、行先階登録装置３０ＣのデバイスＩＤ“Ｅ００００００３”に対応付けて当該行先階登録装置３０Ｃのアドレス“Ｂ３”が記録されている。行先階登録装置３０Ｄ〜３０Ｚにおいても同様に、対応するアドレスが記録されている。
【００７５】
なお、エレベータシステムの運用開始後、行先階登録装置３０やセキュリティゲート２０を追加で設置するような場合、追加する行先階登録装置３０やセキュリティゲート２０のデバイスＩＤと、当該行先階登録装置３０や当該セキュリティゲート２０に設置されているゲート表示器７０のアドレスとを、アドレステーブルに追加可能である。
【００７６】
制御部５１は、例えばＣＰＵ、ＭＰＵ等を利用して構成される。制御部５１は、記憶部５２から読み出した上記プログラムに基づいて種々のデータ等を利用して演算処理を行うことにより、中継装置５０における後述する各種の機能を実現する。
【００７７】
入出力インタフェース５３は、例えばＬＡＮアダプタ等を利用して構成される。入出力インタフェース５３は、中継装置５０と、行先階登録装置３０、ゲート表示器７０、セキュリティサーバ１００、及び群管理制御装置１０との間で各種信号を送受信するためのインタフェースである。入出力インタフェース５３は、制御部５１から出力された信号を所定の形式の信号に変換して行先階登録装置３０、ゲート表示器７０、セキュリティサーバ１００、及び群管理制御装置１０に出力する。また、入出力インタフェース５３は、行先階登録装置３０、ゲート表示器７０、セキュリティサーバ１００、及び群管理制御装置１０から入力された信号を所定の形式の信号に変換して制御部５１に出力する。
【００７８】
２．動作
２−１．概要
図２を参照しながら、セキュリティゲート２０のゲートフラッパ２８の開閉動作、及び群管理システムによる号機割当制御について時系列的に説明する。
【００７９】
２−１−１．セキュリティゲートのゲートフラッパの開閉
まず、セキュリティゲート２０のゲートフラッパ２８の開閉動作について時系列的に説明する。利用者が、ＩＤカードをカードリーダ２５に接触させあるいは近接させながらセキュリティゲート２０に進入すると、カードリーダ２５からセキュリティサーバ１００にＩＤ情報（カードＩＤ、デバイスＩＤ）が送信される（Ｊ１）。受信したＩＤ情報に含まれるカードＩＤが正規なものである場合、セキュリティサーバ１００は、正規なものであることを示す認証結果情報を、当該デバイスＩＤに対応するセキュリティゲート２０の制御部２１に送信する。この場合、制御部２１は、ゲートフラッパ２８を開状態で維持する。これにより、利用者は、セキュリティゲート２０を通過することができる。一方、ＩＤカードが非正規なものである場合、セキュリティサーバ１００は、非正規なものであることを示す認証結果情報を、当該デバイスＩＤのセキュリティゲート２０の制御部２１に送信する。この場合、制御部２１は、ゲートフラッパ２８を閉状態とする。そのため、非正規なＩＤカードを提示した利用者は、セキュリティゲート２０を通過することができない。
【００８０】
また、ＩＤカードが正規なものであることを示す認証結果情報をセキュリティサーバ１００から受信していない状態で、第１センサ２６からの信号を受信した場合、当該セキュリティゲート２０の制御部２１は、ゲートフラッパ２８を閉状態に制御する。ＩＤカードを有していない非正規の利用者がセキュリティサーバ１００を通過しようとしている可能性があり、これを阻止するためである。
【００８１】
このように、正規なＩＤカードを有する利用者はエレベータホール内に進入することができるが、ＩＤカードを有していない利用者や非正規なＩＤカードを有する利用者はエレベータホール内に進入できない。よって、ビル内のセキュリティが確保される。
【００８２】
２−１−２．エレベータの号機割当制御
セキュリティサーバ１００は、セキュリティゲート２０のカードリーダ２５から受信したＩＤ情報（カードＩＤ、デバイスＩＤ）に含まれるカードＩＤが正規なものである場合、カードＩＤに対応する行先階情報を読み出し、読み出した行先階情報と、出発階情報と、デバイスＩＤとを中継装置５０に送信する（Ｊ２）。出発階情報としては、前述のように、セキュリティゲート２０のデバイスＩＤに対応する設置階情報を利用する。なお、取得した行先階情報と、出発階情報と、デバイスＩＤとをまとめて、以下適宜「割当準備情報」という。
【００８３】
中継装置５０は、セキュリティサーバ１００から、割当準備情報（行先階情報、出発階情報、デバイスＩＤ）を受信すると、受付番号を生成するとともに、アドレステーブルを参照して、受信したデバイスＩＤに対応するセキュリティゲート２０のゲート表示器７０のアドレスを取得する。そして、中継装置５０は、生成した受付番号を、取得したアドレスを利用して、受信したデバイスＩＤに対応するセキュリティゲート２０のゲート表示器７０に送信する（Ｊ３）。受付番号を受信したゲート表示器７０は、受信した受付番号を記憶する。
【００８４】
また、中継装置５０は、生成した受付番号と、セキュリティサーバ１００から受信した割当準備情報に含まれる行先階情報及び出発階情報とを群管理制御装置１０に第１の信号送信方法により送信する（Ｊ４）。なお、受付番号と、行先階情報と、出発階情報とをまとめて、以下適宜「割当依頼情報」という。
【００８５】
群管理制御装置１０は、中継装置５０から割当依頼情報（行先階情報、出発階情報、受付番号）を第１の信号送信方法により受信すると、受信した割当依頼情報に含まれる行先階情報及び出発階情報に基づいて割当号機を決定する。そして、群管理制御装置１０は、決定した割当号機を示す割当号機情報と、受信した受付番号とを、全ての報知装置（全てのゲート表示器７０及び全ての行先階登録装置３０）に送信する（Ｊ５）。なお、上記の受付番号と割当号機情報とをまとめて、以下適宜「割当結果情報」という。例えば、群管理制御装置１０は、ＴＣＰ／ＩＰに基づいてブロードキャストアドレスを指定して、ネットワークＮＷに接続されている、上記ゲート表示器７０及び行先階登録装置３０等を含む全ての報知装置に割当結果情報をブロードキャストにより（第２の信号送信方法により）送信する。なお、ネットワークＮＷにおけるブロードキャストの範囲は、上記ゲート表示器７０及び行先階登録装置３０が接続されている範囲を少なくとも含む範囲であれば、ネットワークＮＷの全ての範囲でなくてもよい。
【００８６】
全てのゲート表示器７０及び行先階登録装置３０は、群管理制御装置１０から割当結果情報（受付番号、割当号機情報）を受信すると、割当結果情報に含まれる受付番号を中継装置５０から既に受信しているか否か（既に記憶済みか否か）を判断する。そして、割当結果情報に含まれる受付番号を中継装置５０から既に受信している（既に記憶済み）と判断したゲート表示器７０または行先階登録装置３０は、割当結果情報に含まれる割当号機情報を表示する。一方、割当結果情報に含まれる受付番号を中継装置５０から受信していない（記憶済みでない）と判断したゲート表示器７０及び行先階登録装置３０は、受信した割当結果情報に含まれる割当号機情報の表示を行わない。
【００８７】
ここで、セキュリティゲート２０を利用者が通過した場合において、当該受付番号を中継装置５０から先に受信しているのは、利用者が通過したときに当該受付番号の生成の基となるＩＤ情報（カードＩＤ、デバイスＩＤ）を送信したカードリーダ２５に対応するゲート表示器７０のみである。そのため、このゲート表示器７０のみが当該受付番号に対応する割当号機情報を表示することとなる。つまり、このゲート表示器７０以外の他のゲート表示器７０や行先階登録装置３０は、当該受付番号に対応する割当号機情報を表示しない。したがって、本割当号機に乗車すべき利用者にのみ、当該割当号機情報が報知されることとなる。
【００８８】
２−１−３．行先階登録装置でユーザによる行先階の入力操作があったときの号機割当制御
利用者が割当号機に乗り遅れた場合、あるいはＩＤカードに対応させて登録されている行先階以外の階に行く必要がある場合、利用者は、行先階登録装置３０により行先階を指定することができる。この場合の群管理システムによる号機割当制御について時系列的に説明する。
【００８９】
行先階登録装置３０は、ユーザによる行先階の入力操作があった場合、入力された行先階を示す行先階情報と、出発階情報と、当該行先階登録装置３０のデバイスＩＤとを、中継装置５０に送信する（Ｊ１１）。なお、行先階登録装置３０は、自装置の設置階情報を記憶しており、出発階情報に係る出発階として、記憶している自装置の設置階情報に係る設置階を設定する。ここで、取得した行先階情報と、出発階情報と、デバイスＩＤとをまとめて、以下適宜「割当準備情報」という。
【００９０】
中継装置５０は、行先階登録装置３０から、割当準備情報（行先階情報、出発階情報、及びデバイスＩＤ）を受信すると、セキュリティサーバ１００から割当準備情報（行先階情報、出発階情報、及びデバイスＩＤ）を受信したときと同様に、受付番号を生成し、生成した受付番号を、受信したデバイスＩＤに対応する行先階登録装置３０に送信する（Ｊ３）。受付番号を受信した行先階登録装置３０は、受信した受付番号を記憶する。
【００９１】
また、中継装置５０は、生成した受付番号と、行先階登録装置３０から受信した割当準備情報に含まれる行先階情報及び出発階情報とを含む割当依頼情報を、群管理制御装置１０に第１の信号送信方法により送信する（Ｊ４）。
【００９２】
この後においては、群管理制御装置１０、並びに全てのゲート表示器７０及び行先階登録装置３０は、セキュリティゲート２０のカードリーダ２５及びセキュリティサーバ１００により行先階情報が取得されたときと同様の処理が行われる。すなわち、群管理制御装置１０は、割当号機を決定し、割当結果情報（受付番号、割当号機情報）を、全ての報知装置（全てのゲート表示器７０及び全ての行先階登録装置３０）にブロードキャストにより（第２の信号送信方法により）送信する（Ｊ５）。また、全てのゲート表示器７０及び行先階登録装置３０は、割当結果情報に含まれる受付番号を中継装置５０から既に受信している場合は割当号機情報の表示を行い、当該受付番号を受信していない場合は割当号機情報の表示を行わない。
【００９３】
ここで、行先階登録装置３０で利用者による行先階の入力が行われた場合、受付番号を中継装置５０から先に受信しているのは、利用者による行先階の入力操作を受け付けて当該受付番号の生成の基となるＩＤ情報（カードＩＤ、デバイスＩＤ）を送信した行先階登録装置３０のみである。そのため、この行先階登録装置３０のみが当該受付番号に対応する割当号機情報を表示することとなる。つまり、この行先階登録装置３０以外の他の行先階登録装置３０やゲート表示器７０は、当該受付番号に対応する割当号機情報を表示しない。したがって、本割当号機に乗車すべき利用者にのみ、当該割当号機情報が報知されることとなる。
【００９４】
２−２．群管理制御システムの具体的動作
２−２−１．セキュリティゲートを利用者が通過したときの号機割当処理
セキュリティゲート２０を利用者が通過したときに行われる号機割当処理について説明する。図１５は、実施形態１に係るエレベータの群管理システムにおいてセキュリティゲート２０を利用者が通過したときに実行される号機割当処理の流れを示すフローチャートである。
【００９５】
カードリーダ２５は、ＩＤカードからカードＩＤを読み取った場合（Ｓ１１でＹＥＳ）、読み取ったカードＩＤと、当該カードリーダ２５が配置されたセキュリティゲート２０のデバイスＩＤとをセキュリティサーバ１００に送信する（Ｓ１２）。なお、カードＩＤと、デバイスＩＤとをまとめて、以下適宜「ＩＤ情報」という。
【００９６】
セキュリティサーバ１００は、複数台のカードリーダ２５のいずれかから、ＩＤ情報（カードＩＤ、デバイスＩＤ）を受信すると、行先階テーブルを参照してカードＩＤに対応する行先階情報を取得する（Ｓ１３）。
【００９７】
セキュリティサーバ１００は、取得した行先階情報と、出発階情報と、受信したＩＤ情報に含まれるデバイスＩＤとを含む割当準備情報を、中継装置５０に送信する（Ｓ１４）。出発階情報としては、前述のように、セキュリティゲート２０のデバイスＩＤに対応する設置階情報を利用する。
【００９８】
中継装置５０は、セキュリティサーバ１００から、割当準備情報（行先階情報、出発階情報、デバイスＩＤ）を受信すると、受付番号（受付情報）を生成する（Ｓ１５）。受付番号は、例えば０から９９９の数値範囲（所定の数値範囲）の１０００個の整数である。受付番号の初期値は０である。中継装置５０は、割当準備情報を受信する都度、１ずつインクリメントした値の受付番号を生成する。受付番号が９９９に達した後に、新たな割当準備情報を受信した場合、０に戻る。その後においては、前述のように、割当準備情報を受信する都度、１ずつインクリメントした値の受付番号を生成する。
【００９９】
なお、中継装置５０は、行先階登録装置３０から、後述する割当準備情報（行先階情報、出発階情報、デバイスＩＤ）を受信した場合にも、受付番号を生成する（後述するＳ２３）。受付番号は、割当準備情報の送信元（セキュリティサーバ１００と行先階登録装置３０）や送信元装置の設置階を区別することなく、一連の番号として生成される。
【０１００】
ここで、受付番号の数値範囲（０〜９９９）は、群管理システムにより管理される全てのエレベータ６０の乗車定員の合計、つまり複数台のエレベータを同時に利用する可能性がある最大人数、あるいは当該最大人数にエレベータホールで待機可能な人数を加算した人数等に基づいて設定される。具体的に、受付番号の数値範囲は、当該人数よりも若干大きい程度の数値に設定される。これにより、エレベータ利用の混雑時においても、受付番号の不足を回避しつつ、受付番号の値が必要以上に大きくなるのを回避することができる。受付番号の値が大きくなるほど、群管理システムを構成するネットワークＮＷ上で伝送される受付番号分の情報量が増加することとなるが、本実施形態では、受付番号の数値範囲を複数台のエレベータ６０の定員の合計値程度の値に設定することで、受付番号の情報量を必要最小程度の情報量とできる。
【０１０１】
中継装置５０は、生成した受付番号を、セキュリティサーバ１００から受信したデバイスＩＤに対応するセキュリティゲート２０のゲート表示器７０に送信する（Ｓ１６）。具体的に、中継装置５０は、アドレステーブルを参照して、受信したデバイスＩＤに対応するセキュリティゲート２０のゲート表示器７０のアドレスを取得する。そして、中継装置５０は、生成した受付番号を、取得したアドレスを利用して、受信したデバイスＩＤに対応するセキュリティゲート２０のゲート表示器７０に送信する（Ｊ３）。
【０１０２】
中継装置５０は、さらに、生成した受付番号と、セキュリティサーバ１００から受信した割当準備情報に含まれる行先階情報及び出発階情報とを含む割当依頼情報を群管理制御装置１０に第１の信号送信方法により送信する（Ｓ１７）。
【０１０３】
群管理制御装置１０は、中継装置５０から割当依頼情報（行先階情報、出発階情報、及び受付番号）を第１の信号送信方法により受信すると、受信した割当依頼情報に含まれる行先階情報及び出発階情報に基づいて、割当号機を決定する（Ｓ１８）。
【０１０４】
具体的に、群管理制御装置１０は、例えば、まず、各エレベータの運行情報に基づいて、行先階を割り当てるべきエレベータ（割当号機）を選択するための評価値を、エレベータ毎に算出する。ここで、各エレベータの運行情報は、例えば、各エレベータのかご状態（かごの位置、走行方向、ドアの開閉状態、荷重等を含む）、予測される待ち時間（割当号機が出発階に到着するまでの時間）、予測されるサービス完了時間（割当号機が行先階に到着するまでの時間）、かごの予定される停止回数（サービス完了までの間に予定されるエレベータの停止回数）などを示す情報を含む。上記評価値の算出後、群管理制御装置１０は、エレベータ６０Ａ〜６０Ｆのうちから最も高い評価値を有するエレベータを選択し、行先階を、選択したエレベータに割り当てる。群管理制御装置１０は、この他、一般的に知られている従来の方法を用いて行先階をいずれかのエレベータに割り当ててもよい。
【０１０５】
割当号機を決定すると、群管理制御装置１０は、決定した割当号機を示す割当号機情報と、受信した受付番号とを含む割当結果情報を、全てのゲート表示器７０及び行先階登録装置３０にブロードキャストにより送信する（Ｓ１９）。
【０１０６】
２−２−２．行先階登録装置で利用者による行先階登録が行われたときの号機割当処理
行先階登録装置３０で利用者による行先階登録が行われたときに行われる号機割当処理を説明する。図１６は、実施形態１に係るエレベータの群管理システムにおいて行先階登録装置３０で利用者による行先階登録が行われたときに行われる号機割当処理の流れを示すフローチャートである。
【０１０７】
行先階登録装置３０は、ユーザによる行先階の入力操作があった場合（Ｓ２１でＹＥＳ）、入力された行先階を示す行先階情報と、出発階情報と、デバイスＩＤとを含む割当準備情報を、中継装置５０に送信する（Ｓ２２）。行先階登録装置３０は、自装置の設置階情報を記憶しており、出発階情報に係る出発階として、記憶している自装置の設置階情報に係る設置階を設定する。
【０１０８】
中継装置５０は、行先階登録装置３０から、割当準備情報（行先階情報、出発階情報、デバイスＩＤ）を受信すると、受付番号を生成する（Ｓ２３）。
【０１０９】
中継装置５０は、生成した受付番号を、受信したデバイスＩＤに対応する行先階登録装置３０に送信する（Ｓ２４）。
【０１１０】
ステップＳ２５〜Ｓ２７では、図１５のステップＳ１７〜Ｓ１９と同様の処理が行われる。
【０１１１】
２−２−３．ゲート表示器及び行先階登録装置での割当号機表示処理
群管理制御装置１０から全ての報知装置（全てのゲート表示器７０及び全ての行先階登録装置３０）に割当号機情報がブロードキャストにより（第２の信号送信方法により）送信された場合のゲート表示器７０及び行先階登録装置３０の割当号機表示処理について説明する。図１７は、実施形態１に係るエレベータの群管理システムのゲート表示器７０及び行先階登録装置３０での割当号機表示処理の流れを示すフローチャートである。このフローチャートによる処理は、複数台のゲート表示器７０及び複数台の行先階登録装置３０のそれぞれにおいて、個別に、所定時間周期で実行される。以下のフローチャートは、１台当たりのゲート表示器７０または行先階登録装置３０での処理の流れを示す。そのため、以下においては、処理の主体を「ゲート表示器７０（行先階登録装置３０）」と示している。
【０１１２】
ゲート表示器７０（行先階登録装置３０）は、中継装置５０から受付番号を受信したか否かを判断する（Ｓ３１）。
【０１１３】
中継装置５０から受付番号を受信した場合（Ｓ３１でＹＥＳ）、ゲート表示器７０（行先階登録装置３０）は、受信した受付番号を記憶し（Ｓ３２）、ステップＳ３１の判断に戻る。
【０１１４】
中継装置５０から受付番号を受信していない場合（Ｓ３１でＮＯ）、ゲート表示器７０（行先階登録装置３０）は、群管理制御装置１０から割当結果情報（受付番号、割当号機情報）を受信したか否かを判断する（Ｓ３３）。
【０１１５】
割当結果情報を受信していない場合（Ｓ３３でＮＯ）、ゲート表示器７０（行先階登録装置３０）は、ステップＳ３１の判断に戻る。
【０１１６】
割当結果情報を受信した場合（Ｓ３３でＹＥＳ）、ゲート表示器７０（行先階登録装置３０）は、記憶している受付番号があるか否かを判断する（Ｓ３４）。
【０１１７】
記憶している受付番号がない場合（Ｓ３４でＮＯ）、ゲート表示器７０（行先階登録装置３０）は、ステップＳ３１の判断に戻る。
【０１１８】
記憶している受付番号がある場合（Ｓ３４でＹＥＳ）、ゲート表示器７０（行先階登録装置３０）は、受信した割当結果情報に含まれる受付番号が、記憶している受付番号と同じか否かを判断する（Ｓ３５）。
【０１１９】
受信した割当結果情報に含まれる受付番号が、記憶している受付番号と同じである場合（Ｓ３５でＹＥＳ）、ゲート表示器７０（行先階登録装置３０）は、割当号機情報を表示する（Ｓ３６）。この処理によれば、受信した割当結果情報に含まれる受付番号と、記憶している受付番号とが同じであるゲート表示器７０または行先階登録装置３０においてのみ、割当号機情報が表示されることとなる。
【０１２０】
ゲート表示器７０（行先階登録装置３０）は、記憶している受付番号のうち、ステップＳ３５において割当結果情報に含まれる受付番号と同じであると判断した受付番号をクリアする（Ｓ３７）。ゲート表示器７０（行先階登録装置３０）は、記憶している受付番号に対応する割当結果情報を群管理制御装置１０から受信する前に、別の受付番号を中継装置５０から受信する場合がある。つまり、ゲート表示器７０（行先階登録装置３０）は、複数の受付番号を記憶している場合がある。そのため、記憶している受付番号のうち、ステップＳ３５において割当結果情報に含まれる受付番号と同じであると判断した受付番号のみをクリアするようにしている。
【０１２１】
なお、ステップＳ３３で割当結果情報を受信していないと判断した場合（Ｓ３３でＮＯ）と、ステップＳ３４で記憶している受付番号がないと判断した場合（Ｓ３４でＮＯ）と、ステップＳ３５で、受信した割当結果情報に含まれる受付番号と記憶している受付番号とが同じでないと判断した場合（Ｓ３５でＮＯ）においては、ゲート表示器７０（行先階登録装置３０）は、ステップＳ３１の判断を繰り返す。
【０１２２】
２−３．効果等
本実施形態の行先階登録システムによると、セキュリティゲート２０のカードリーダ２５を介して行先階情報が取得されたのか、行先階登録装置３０において行先階情報が取得されたのかによらず、つまり行先階情報を取得する装置（行先階情報取得装置）の種類によらず、中継装置５０から群管理制御装置１０に第１の信号送信方法により割当依頼情報が送信される。また、群管理制御装置１０は、行先階情報取得装置の種類に関係なく、割当号機情報をブロードキャストにより（第２の信号送信方法により）送信すればよい。そのため、群管理制御装置１０の構成や割当号機情報の送信方法を、セキュリティゲート２０と行先階登録装置３０とのいずれが設置されているかによらず、共通化することができる。つまり、本実施形態の行先階登録システムによると、群管理制御装置の構成を変更することなく、行先階を登録するための装置としてセキュリティゲート２０と行先階登録装置３０とのいずれをも、つまり種々の行先階取得装置を採用可能となる。
【０１２３】
また、例えばエレベータシステムの運用開始後、行先階情報取得装置及び報知装置（行先階登録装置３０やゲート表示器７０）を追加で設置するような場合、中継装置５０の記憶部５２に記憶されているアドレステーブルに、追加した行先階情報取得装置及び報知装置のデバイスＩＤとアドレスとを追加するだけでよく、群管理制御装置１０に関しては何等追加や変更を行う必要はない。
【０１２４】
また、本実施形態の群管理制御装置１０では、セキュリティゲート２０を利用して行先階情報を取得するように構成されている場合において、セキュリティゲート２０のカードリーダ２５で取得されたカードＩＤやデバイスＩＤを利用することなく、号機の割当を行い、かつ割当号機情報を所望の表示装置（ゲート表示器７０や行先階登録装置３０）にのみ伝達することができる。ここで、ＩＤカードには個人情報が関連付けられている場合があり、個人情報に対するセキュリティの確保が重要である。本実施形態では、ビル側設備であるセキュリティサーバ１００とのインタフェース装置としての中継装置５０は、ビル側設備であるセキュリティサーバ１００から、デバイスＩＤと、出発階情報と、行先階情報とを含む割当準備情報を受信するが、割当準備情報には、カードＩＤは含まれていない。つまり、個人情報から切り離されている。よって、本実施形態のエレベータの群管理システムでは、個人情報に対するセキュリティを確保しつつ、割当号機の決定を行うことができる。
【０１２５】
また、本実施形態の群管理制御装置１０では、受付番号として、エレベータを同時に利用する最大人数等を考慮した数値範囲（０〜９９９の間の１０００個の整数）にある１０００個のシーケンス番号を用いる。これにより、エレベータ利用の混雑時においても、受付番号の不足を回避しつつ、受付番号の値が必要以上に大きくなるのを回避することができる。ここで、ＩＤカードのカードＩＤは、例えば十数桁程度の文字情報である場合が多い。そのため、カードＩＤの情報量は本実施形態の受付番号の情報量よりも遙かに大きい。したがって、例えば、カードＩＤを、群管理システムを構成するネットワークＮＷ上で伝送した場合、上記の受付番号を伝送する場合よりも、ネットワークＮＷ上で伝送される情報の伝送速度が低下しやすくなる。しかし、本実施形態のように、エレベータ利用の最大人数等を考慮した個数のシーケンス番号を用いた受付番号を用いることにより、カードＩＤを用いる場合よりも、群管理システムを構成するネットワークＮＷ上で伝送される情報量を少なくすることができる。これにより、ネットワークＮＷ上で伝送される情報の伝送速度を向上させ、ひいては、エレベータの割当制御及びエレベータの運行制御において、新たな行先階呼びが発生したときの応答を早くすることができる。
【０１２６】
３．まとめ
本実施形態のエレベータの群管理システムは、
複数台の行先階情報取得装置（カードリーダ２５とセキュリティサーバ１００との組み合わせ、及び行先階登録装置３０）のいずれかで取得された行先階情報が示す行先階を、複数台のエレベータ６０のいずれかの号機に割り当てる。
エレベータの群管理システムは、
複数台の行先階情報取得装置のいずれかで行先階情報が取得されたときに、取得された行先階情報と、行先階情報を取得した行先階情報取得装置を識別するデバイスＩＤ（装置識別情報）とを行先階情報取得装置から受信する中継装置５０と、
複数台の行先階情報取得装置の各々に対応させて設けられた複数台の報知装置（行先階登録装置３０及びゲート表示器７０）と、
行先階情報が示す行先階を複数台のエレベータ６０のいずれかの号機に割り当てる群管理制御装置１０と、を備える。
中継装置５０は、行先階情報取得装置から行先階情報とデバイスＩＤとを受信したときに、受付番号（受付情報）を生成し、デバイスＩＤが示す行先階情報取得装置に対応する報知装置に受付番号を送信するとともに、群管理制御装置１０に受付番号と行先階情報とを第１の信号送信方法により送信する。
群管理制御装置１０は、割当号機を決定すると、割当号機を示す割当号機情報と受付番号とを全ての報知装置にブロードキャストにより（第２の信号送信方法により）送信する。
各報知装置は、群管理制御装置１０から受付番号と割当号機情報とを受信した場合、当該受信の前に中継装置５０から受付番号を受信していたときは、当該割当号機情報を報知する。
【０１２７】
このように、本実施形態の群管理制御装置１０は、複数台の行先階情報取得装置（カードリーダ２５とセキュリティサーバ１００との組み合わせ、及び行先階登録装置３０）のいずれかで行先階情報が取得されたときに、中継装置５０から受付番号と行先階情報とを第１の信号送信方法により受信し、受信した行先階情報に基づいて割当号機を決定する。割当号機を決定すると、群管理制御装置１０は、割当号機を示す割当号機情報と受付番号とを全ての報知装置（行先階登録装置３０及びゲート表示器７０）にブロードキャストにより（第２の信号送信方法により）送信する。報知装置は、群管理制御装置１０から受付情報と割当号機情報とを受信した場合、当該受信の前に中継装置５０から受付情報を受信していたときは、当該割当号機情報を報知する。このように、本実施形態によれば、群管理制御装置１０は、受付情報と行先階情報とを中継装置５０から受信可能でかつ受付番号と割当号機情報とを報知装置に送信可能な構成を有していればよい。よって、行先階情報を取得する行先階情報取得装置、及び割当号機情報を報知する報知装置としてどのような装置が設けられるかによらず、行先階情報取得装置及び報知装置との間で行先階情報及び割当号機情報を送受信するための、群管理制御装置１０における構成を共通化できる。
【０１２８】
本実施形態において、
行先階情報取得装置は、
エレベータホールに配置され、利用者が行先階情報を登録するための行先階登録装置３０において利用者の行先階入力操作により行先階情報を取得する操作部３５及び制御部３１（入力部）であり、
報知装置は、行先階登録装置３０において割当号機情報を表示する表示部３４及び制御部３１（表示部）である。
【０１２９】
これにより、行先階情報取得装置及び報知装置が、利用者による行先階入力操作を受け付けて割当号機情報を表示する行先階登録装置３０である場合に対応できる。
【０１３０】
本実施形態において、
行先階情報取得装置は、
エレベータホールへの利用者の進入を制御するセキュリティゲート２０に配置され、利用者の通過時に、当該利用者が所持するＩＤカード（情報記憶媒体）からカードＩＤ（媒体識別情報）を読み取るカードリーダ２５（情報読取部）と、
カードリーダ２５で読み取られたカードＩＤに対応する行先階情報を取得するセキュリティサーバ１００（行先階情報取得部）と、を含む。
報知装置は、セキュリティゲート２０に配置され、割当号機情報を表示するゲート表示器７０（表示装置）である。
【０１３１】
これにより、行先階情報取得装置及び報知装置がセキュリティゲート２０に配置されている場合に対応できる。
【０１３２】
本実施形態において、
複数台の行先階情報取得装置は、複数台の第１の行先階情報取得装置（複数台の行先階登録装置３０）と、複数台の第２の行先階情報取得装置（複数台のカードリーダ２５及びセキュリティサーバ１００）とを含み、
複数台の報知装置は、複数台の第１の行先階情報取得装置の各々に対応して設けられた複数台の第１の報知装置（複数台の行先階登録装置３０の表示部３４及び制御部３１）と、複数台の第２の行先階情報取得装置の各々に対応して設けられた複数台の第２の報知装置（複数台のゲート表示器７０）とを含む。
第１の行先階情報取得装置は、
エレベータホールに配置され、利用者が行先階情報を登録するための行先階登録装置３０において利用者の行先階入力操作により行先階情報を取得する操作部３５及び制御部３１（入力部）であり、
報知装置は、行先階登録装置３０において割当号機情報を表示する表示部３４及び制御部３１（表示部）である。
第２の行先階情報取得装置は、
エレベータホールへの利用者の進入を制御するセキュリティゲート２０に配置され、利用者の通過時に、当該利用者が所持するＩＤカード（情報記憶媒体）からカードＩＤ（媒体識別情報）を読み取るカードリーダ２５（情報読取部）と、
カードリーダ２５で読み取られたカードＩＤに対応する行先階情報を取得するセキュリティサーバ１００（行先階情報取得部）と、を含む。
第２の報知装置は、セキュリティゲート２０に配置され、割当号機情報を表示するゲート表示器７０（第２の表示装置）である。
【０１３３】
これにより、行先階情報取得装置及び報知装置として、利用者による行先階入力操作を受け付けて割当号機情報を表示する行先階登録装置３０と、セキュリティゲート２０及びセキュリティサーバ１００でなる装置との両方が設けられている場合に対応できる。
【０１３４】
本実施形態において、
受付番号は、中継装置５０が、行先階情報取得装置から、行先階情報とデバイスＩＤとを受信したときに所定の数値範囲内において１ずつインクリメントして得られる整数でなる受付番号であり、
受付番号が所定の数値範囲の上限に達したときは、所定の数値範囲の下限からインクリメントを行い。
受付番号の数値範囲は、複数台のエレベータの定員の合計値に基づいて設定される。
【０１３５】
これにより、受付番号の数値範囲が、複数台のエレベータの定員の合計値に基づく数値範囲、例えば受付番号を発行すべき最大の割当人数を考慮した数値範囲となる。そのため、受付番号の不足を回避しつつ、群管理システムを構成するネットワークＮＷ上で伝送される情報量を極力少なくできる。
【０１３６】
（実施形態２）
実施形態２のエレベータの群管理システムでは、実施形態１の構成に加え、さらに、セキュリティゲート２０を通過した利用者に対して割り当てた割当号機情報を網羅的に表示する集合表示装置を備える。なお、群管理制御装置１０は、実施形態１と同一の構成を有する。
【０１３７】
１．構成
図１８は、実施形態２に係るエレベータの群管理システムの構成を示すブロック図である。本実施形態のエレベータの群管理システムは、図１８に示すように、実施形態１の構成要素に加え、さらに複数台の集合表示装置８０Ａ、８０Ｂを有している。なお、複数台の集合表示装置８０Ａ、８０Ｂは互いに同一の構成を有する。そのため、構成等の説明において区別する必要がない場合、適宜、各集合表示装置を「集合表示装置８０」という。
【０１３８】
図１９は、実施形態２に係るエレベータの群管理システムの特定階における配置を示す概略図である。集合表示装置８０Ａ、８０Ｂは、エレベータホールにおいてセキュリティゲート２０から各号機への移動経路の近傍に配置されている。本例では、２台の集合表示装置８０Ａ、８０Ｂが配置されているが、１台でもよいし、３台以上でもよい。
【０１３９】
図２０は、実施形態２に係るエレベータの群管理システムにおけるゲート表示器７０の表示例を示す図である。本実施形態では、セキュリティゲート２０のゲート表示器７０に、行先階情報及び割当号機情報に代えて、整理番号を表示する。本表示例では、整理番号が１１であることが示されている。
【０１４０】
図２１は、実施形態２に係るエレベータの群管理システムにおける集合表示装置８０の表示例を示す図である。集合表示装置８０は、整理番号と割当号機情報とを対応付けて表示する。図２１に示す例では、整理番号１１の割当号機はＡ号機であり、整理番号１４の割当号機はＣ号機であり、整理番号１６の割当号機はＡ号機であること等が表示されている。１つの整理番号についての表示は、例えば３０秒等の所定の時間の間表示され、その後、消去される。全ての整理番号が表示されていないのは、他の階で行先階登録装置により登録された行先階呼びに対する割当号機情報のみが表示されないからである。
【０１４１】
図２２は、実施形態２における集合表示装置８０の電気的構成を示すブロック図である。集合表示装置８０は、コンピュータを利用して構成され、制御部８１と、記憶部８２と、入出力インタフェース８３と、表示部８４とを備える。
【０１４２】
記憶部８２は、例えばＲＡＭ、ＲＯＭ、ＨＤＤ、ＳＳＤ等を利用して構成され、プログラム、及び種々のデータを格納している。プログラムは、本実施形態の集合表示装置８０の後述する各種機能を実現するためのプログラムを含む。
【０１４３】
制御部８１は、例えばＣＰＵ、ＭＰＵ等を利用して構成される。制御部８１は、記憶部８２から読み出した上記プログラムに基づいて種々のデータ等を利用して演算処理を行うことにより、集合表示装置８０における後述する各種の機能を実現する。
【０１４４】
入出力インタフェース８３は、例えばＬＡＮアダプタ等を利用して構成される。入出力インタフェース８３は、集合表示装置８０と、群管理制御装置１０及び中継装置５０との間で各種信号を送受信するためのインタフェースである。入出力インタフェース８３は、制御部８１から出力された信号を所定の形式の信号に変換して群管理制御装置１０及び中継装置５０に出力する。また、入出力インタフェース８３は、群管理制御装置１０及び中継装置５０から入力された信号を所定の形式の信号に変換して制御部８１に出力する。
【０１４５】
表示部８４は、割当号機情報と、整理番号とを対応付けて表示する。表示部８４は、例えば液晶ディスプレイや有機ＥＬディスプレイで構成される。
【０１４６】
集合表示装置８０は、入出力インタフェース８３を介して、中継装置５０から受付番号を受信し、受信した受付番号を所定時間記憶する。また、集合表示装置８０は、入出力インタフェース８３を介して、群管理制御装置１０から割当結果情報（受付番号、割当号機情報）を受信する。集合表示装置８０は、中継装置５０から受付番号を受信した後、群管理制御装置１０から上記受付番号と同じ受付番号を含む割当結果情報（割当号機情報、受付番号）を受信すると、表示部８４に、割当結果情報に含まれる受付番号及び割当号機情報を表示する。なお、表示部８４上では、受付番号は整理番号として表示される。
【０１４７】
２．動作
２−１．全体的動作
２−１−１．セキュリティゲートを利用者が通過したときの号機割当処理
図２３は、実施形態２に係るエレベータの群管理システムにおいてセキュリティゲート２０を利用者が通過したときに行われる処理の流れを示すフローチャートである。
【０１４８】
本フローチャートでは、図１６のフローチャートの処理に加え、さらにステップＳ４７の処理が行われる。なお、本フローチャートのステップＳ４１〜Ｓ４６及びＳ４８〜Ｓ５０では、図１６のフローチャートのステップＳ１１〜Ｓ１６及びＳ１７〜Ｓ１９と同様の処理が行われる。
【０１４９】
具体的に、中継装置５０は、ステップＳ４６で、セキュリティサーバ１００から受信したデバイスＩＤに対応するセキュリティゲート２０のゲート表示器７０に、当該受付番号を送信した後（Ｓ４６）、全ての集合表示装置８０に受付番号を送信する（Ｓ４７）。なお、中継装置５０は、集合表示装置８０（８０Ａ、８０Ｂ）のアドレスを記憶部５２に記憶しており、送信の際、当該アドレスを読み出す。そして、中継装置５０は、実施形態１同様にステップＳ４８及びＳ４９において割当号機が決定されると、群管理制御装置１０は、割当結果情報（受付番号、割当号機情報）を、全ての報知装置（全ての行先階登録装置３０及び全ての集合表示装置８０）にブロードキャストにより送信する（Ｓ５０）。
【０１５０】
２−１−２．ゲート表示器の動作
図２４は、実施形態２に係るエレベータの群管理システムにおける各ゲート表示器７０での整理番号表示処理の流れを示すフローチャートである。
【０１５１】
ゲート表示器７０は、中継装置５０から受付番号を受信したか否かを判断する（Ｓ５１）。
【０１５２】
中継装置５０から受付番号を受信した場合（Ｓ５１でＹＥＳ）、ゲート表示器７０は、受信した受付番号を整理番号として表示する（Ｓ５２）。表示は、例えば、所定時間の間行ってもよいし、利用者がセキュリティゲート２０を通過している間のみ表示してもよい。中継装置５０から受付番号を受信していない場合（Ｓ５１でＮＯ）、ゲート表示器７０は、ステップＳ５１の判断を再度行う。
【０１５３】
２−１−３．行先階登録装置で利用者による行先階登録が行われたときの号機割当処理
行先階登録装置３０で利用者による行先階登録が行われたときの号機割当処理について説明する。本実施形態では、行先階登録装置３０で利用者による行先階登録が行われた場合、基本的に実施形態１の図１６、図１７のフローチャートによる処理と同じ処理が行われる。ただし、本実施形態では、ゲート表示器７０は群管理制御装置１０に接続されていないため、図１６のステップＳ２７において、群管理制御装置１０が割当結果情報（受付番号、割当号機情報）をブロードキャストにより送信したとき、割当結果情報は、行先階登録装置３０と集合表示装置８０とにのみ送信されることとなる。
【０１５４】
２−２．作用
図１８を参照しながら、本実施形態における、群管理システムによる号機割当制御について時系列的に説明する。なお、セキュリティサーバ１００が割当準備情報を送信する動作までは、実施形態１と同様に行われる。そのため、それ以後の動作について説明する。
【０１５５】
中継装置５０は、セキュリティサーバ１００から、割当準備情報（行先階情報、出発階情報、デバイスＩＤ）を受信すると、受付番号を生成するとともに、アドレステーブルを参照して、受信したデバイスＩＤに対応するセキュリティゲート２０のゲート表示器７０のアドレスを取得する。また、中継装置５０は、集合表示装置８０のアドレスを記憶部５２から読み出す。そして、中継装置５０は、生成した受付番号を、取得したアドレス及び読み出したアドレスを利用して、受信したデバイスＩＤに対応するセキュリティゲート２０のゲート表示器７０及び集合表示装置８０に送信する（Ｊ３）。
【０１５６】
ゲート表示器７０は、中継装置５０から受付番号を受信すると（Ｊ３）、受信した受付番号を整理番号として表示する。
【０１５７】
また、集合表示装置８０は、群管理制御装置１０から割当結果情報を受信すると、実施形態１のゲート表示器７０及び行先階登録装置３０同様に、割当結果情報に含まれる受付番号を中継装置５０から既に受信しているか否かを判断し、割当結果情報に含まれる受付番号を中継装置５０から既に受信している場合、割当結果情報に含まれる受付番号と割当号機情報とを対応付けて表示する。一方、割当結果情報に含まれる受付番号を中継装置５０から受信していない場合、集合表示装置８０は、受信した割当結果情報についての受付番号及び割当号機情報の表示を行わない。
【０１５８】
ここで、集合表示装置８０をエレベータの乗場付近（例えば乗車扉の近傍）に設置した場合、集合表示装置８０とセキュリティゲート２０とは一定程度離れる場合が多くなる。そのため、セキュリティゲート２０を通過した利用者が、集合表示装置８０に表示された情報を目視するまでには、距離に応じた時間が経過する。したがって、集合表示装置８０への割当結果情報の表示は、利用者が集合表示装置８０近傍に到達して目視可能となるまでに行ってもよい。つまり、群管理制御装置１０において、割当号機の決定を、即時には行わず、所定時間の間保留してから行ってもよい。このような制御によれば、セキュリティゲート２０を通過した利用者が集合表示装置８０に表示された情報を目視可能となるまでの間に発生した別の利用者の行先階呼びをも考慮して、割当号機の決定を行うことができる。よって、エレベータ６０の運行効率等を向上させることができる。
【０１５９】
なお、号機割当を即時に行わず、所定時間保留する場合、行先階登録装置３０での割当号機情報の表示も所定時間遅れることとなるが、ほとんどの行先階呼びは、セキュリティゲート２０を通過することによって発生する。行先階登録装置３０での登録により発生する行先階呼びは、上述のように臨時的に発生するものだけであるので、行先階登録装置３０における割当号機情報の表示が多少遅れても大きな影響はない。
【０１６０】
３．まとめ
本実施形態のエレベータの群管理システムは、
複数台の行先階情報取得装置（カードリーダ２５とセキュリティサーバ１００との組み合わせ、及び行先階登録装置３０）のいずれかで取得された行先階情報が示す行先階を、複数台のエレベータ６０のいずれかの号機に割り当てる。
エレベータの群管理システムは、
複数台の行先階情報取得装置のいずれかで行先階情報が取得されたときに、取得された行先階情報と、行先階情報を取得した行先階情報取得装置を識別するデバイスＩＤ（装置識別情報）とを受信する中継装置５０と、
複数台の行先階情報取得装置の各々に対応させて設けられた複数台の報知装置（行先階登録装置３０及びゲート表示器７０）と、
集合表示装置８０と、
行先階情報が示す行先階を複数台のエレベータ６０のいずれかの号機に割り当てる群管理制御装置１０と、を備える。
複数台の行先階情報取得装置は、複数台の第１の行先階情報取得装置（複数台の行先階登録装置３０）と、複数台の第２の行先階情報取得装置（複数台のカードリーダ２５及びセキュリティサーバ１００）とを含み、
複数台の報知装置は、複数台の第１の行先階情報取得装置の各々に対応して設けられた複数台の第１の報知装置（複数台の行先階登録装置３０の表示部３４及び制御部３１）と、複数台の第２の行先階情報取得装置の各々に対応して設けられた複数台の第２の報知装置（複数台のゲート表示器７０）とを含む。
中継装置５０は、
（１）第１の行先階情報取得装置から行先階情報とデバイスＩＤとを受信したときは、受付情報を生成し、デバイスＩＤが示す第１の行先階情報取得装置に対応する第１の報知装置に受付情報を送信するとともに、
群管理制御装置１０に受付情報と行先階情報とを第１の信号送信方法により送信し、
（２）第２の行先階情報取得装置から行先階情報とデバイスＩＤとを受信したときに、受付番号（受付情報）を生成し、集合表示装置８０と、デバイスＩＤが示す行先階情報取得装置に対応する報知装置とに受付番号を送信するとともに、群管理制御装置１０に受付番号と行先階情報とを第１の信号送信方法により送信する。
第２の報知装置は、受付番号を受信したときに、当該受付番号を報知し、
群管理制御装置１０は、第１の行先階情報取得装置または第２の行先階情報取得装置から受信した行先階情報が示す行先階に対して、割当号機を決定すると、割当号機を示す割当号機情報と受付番号とを全ての第１の報知装置と集合表示装置８０とにブロードキャストにより（第２の信号送信方法により）送信する。
第１の報知装置は、群管理制御装置１０から受付情報と割当号機情報とを受信した場合、当該受信の前に中継装置５０から受付情報を受信していたときは、当該割当号機情報を報知する。
各集合表示装置８０は、群管理制御装置１０から受付番号と割当号機情報とを受信した場合、当該受信の前に中継装置５０から受付番号を受信していたときは、受付番号及び割当号機情報を、これらを対応付けて表示する。
【０１６１】
このように、本実施形態の群管理制御装置１０は、複数台の行先階情報取得装置（カードリーダ２５とセキュリティサーバ１００との組み合わせ、及び行先階登録装置３０）のいずれかで行先階情報が取得されたときに、中継装置５０から受付番号と行先階情報とを第１の信号送信方法により受信し、受信した行先階情報に基づいて割当号機を決定する。割当号機を決定すると、群管理制御装置１０は、割当号機を示す割当号機情報と受付番号とを行先階登録装置３０（第１の行先階情報取得装置）及び集合表示装置８０に送信する。行先階登録装置３０及び集合表示装置８０は、群管理制御装置１０から受付情報と割当号機情報とを受信した場合、当該受信の前に中継装置５０から受付情報を受信していたときは、当該割当号機情報を報知する。このように、本実施形態によれば、群管理制御装置１０は、受付情報と行先階情報とを中継装置５０から第１の信号送信方法により受信可能でかつ受付番号と割当号機情報とをブロードキャストにより（第２の信号送信方法により）送信可能な構成を有していればよい。よって、行先階情報を取得する行先階情報取得装置、及び割当号機情報を報知する報知装置及び集合表示装置８０としてどのような装置が設けられるかによらず、行先階情報取得装置及び報知装置並びに集合表示装置８０との間で行先階情報及び割当号機情報を送受信するための、群管理制御装置１０における構成を共通化できる。
【０１６２】
特に、本実施形態では集合表示装置８０が設けられているが、群管理制御装置１０として、実施形態１の群管理制御装置１０と全く同一の構成のものを用いることができる。すなわち、本実施形態の群管理システムによれば、受付番号と割当号機情報とを所定の方式で送信可能な構成を有していればよい。よって、行先階情報取得装置としてどのような装置が設けられるかによらず、また集合表示装置８０が設けられている場合でも、群管理制御装置１０における構成を共通化できる。
【０１６３】
本実施形態において、群管理制御装置１０は、行先階情報を受信した後の所定時間内に受信した他の行先階情報を考慮して、割当号機を決定する。
【０１６４】
これにより、行先階情報を受信した後、所定時間の間に発生した別の利用者の行先階呼びをも考慮して、割当号機の決定を行うことができる。よって、エレベータ６０の運行効率等を向上させることができる。
【０１６５】
所定時間は、セキュリティゲート２０と集合表示装置８０との間の距離に基づいて設定される利用者の標準移動時間である。
【０１６６】
これにより、セキュリティゲート２０と集合表示装置８０との間の距離に基づいて設定される利用者の標準移動時間を有効に利用して割当号機を決定できる。よって、エレベータ６０の運行効率の向上等が実現される。
【０１６７】
（その他の実施形態）
前記各実施形態では、制御部１１、２１、３１、４１、５１、７１、８１、１０１は、ＣＰＵ、ＭＰＵ等を利用して構成され、記憶部１２、２２、３２、４２、５２、７２、８２、１０２から読み出したプログラムに基づいて種々のデータ等を利用して演算処理を行うことにより、各種の機能を実現している。つまり、各制御部１１、２１、３１、４１、５１、７１、８１、１０１は、ハードウェアとソフトウェアとの協働により実現されている。しかし、各制御部１１、２１、３１、４１、５１、７１、８１、１０１は、例えば、ハードウェア（電子回路）のみ、ＦＰＧＡ、ＡＳＩＣ等を利用して構成してもよい。
【０１６８】
前記各実施形態では、ネットワークＮＷはＥｔｈｅｒｎｅｔ（登録商標）であり、入出力インタフェース１３、２３、２４、３３、４３、５３、７３、８３、１０３はＬＡＮアダプタ等を利用して構成されている。しかし、ネットワークＮＷは、例えばＩＥＥＥ規格に準拠した無線ＬＡＮであり、入出力インタフェース１３、２３、２４、３３、４３、５３、７３、８３、１０３は無線ＬＡＮアダプタ等を利用して構成されてもよい。
【０１６９】
前記各実施形態では、行先階情報取得装置として、カードリーダ２５とセキュリティサーバ１００との組み合わせからなる行先階情報取得装置と、行先階登録装置３０からなる行先階情報取得装置とが設けられている。しかし、本発明は、これらの行先階情報取得装置のうちいずれか一方の行先階情報取得装置のみが設けられている場合にも適用可能である。その場合、他方の行先階情報取得装置を後で追加することが考えられるが、このように追加するときでも、群管理制御装置１０の構成を変更する必要はない。
【０１７０】
実施形態１では、ゲート表示器７０に、割当号機情報のみを表示する。しかし、ゲート表示器７０に、割当号機情報だけでなく、行先階情報についても表示してもよい。この場合、群管理制御装置１０は、全ての表示装置（全てのゲート表示器７０、全ての行先階登録装置３０、及び全ての集合表示装置８０）に対して、受付番号と割当号機情報に加え、当該受付番号に対応する行先階情報を送信し、かつ、ゲート表示器７０は、受信した割当号機情報と行先階情報との両方を表示するようにすればよい。なお、行先階登録装置３０においては、実施形態１で説明したように、操作部３５で入力された行先階情報に基づいて行先階情報を表示しているが、本例のように、受信した割当号機情報と行先階情報とに基づいて同様の表示を行ってもよい。
【０１７１】
実施形態２のエレベータの群管理システムでは、集合表示装置８０において、セキュリティゲート２０から受け付けた割当依頼情報への応答としての割当結果情報（受付番号（整理番号）及び割当号機情報）のみを表示するように構成している。しかし、集合表示装置８０において、セキュリティゲート２０が配置された特定階の行先階登録装置３０で取得された行先階情報に基づく割当依頼情報への応答としての割当結果情報（受付番号（整理番号）及び割当号機情報）についても表示するように構成してもよい。この場合、特定階の行先階登録装置３０において、図１７のフローチャートにしたがった処理でなく、セキュリティゲート２０のゲート表示器７０に対して同様に、図２４のフローチャートにしたがって、整理番号を表示する処理を行えばよい。なお、この場合、特定階の行先階登録装置３０（３０Ａ）と群管理制御装置１０とはネットワークＮＷ上で直接接続されても、されなくてもよい。
【０１７２】
実施形態２では、図２３のフローチャートにしたがって制御が行われる。しかし、実施形態２と同様の動作を、実施形態１の図１５のフローチャートにしたがって行うことも可能である。この場合、中継装置５０の記憶部３２に格納されているアドレステーブルにおいて、デバイスＩＤ毎に、集合表示装置８０のアドレスを追加して記憶させておけばよい。
図２５は、他の実施形態に係る中継装置５０の記憶部５２に格納されているアドレステーブルの構成を示す図である。図２５に示すアドレステーブルの例では、セキュリティゲート２０ＡのデバイスＩＤ“Ｄ００００００１”に対応付けて、当該セキュリティゲート２０Ａに設置されているゲート表示器７０のアドレス“Ａ１”と集合表示装置８０Ａ及び８０Ｂのアドレス“Ｃ１”及び“Ｃ２”が記録されている。また、セキュリティゲート２０ＢのデバイスＩＤ“Ｄ００００００２”に対応付けて、当該セキュリティゲート２０Ｂに設置されているゲート表示器７０のアドレス“Ａ２”と集合表示装置８０Ａ及び８０Ｂのアドレス“Ｃ１”及び“Ｃ２”が記録されている。また、セキュリティゲート２０ＣのデバイスＩＤ“Ｄ００００００３”に対応付けて、当該セキュリティゲート２０Ｃに設置されているゲート表示器７０のアドレス“Ａ３”と集合表示装置８０Ａ及び８０Ｂのアドレス“Ｃ１”及び“Ｃ２”が記録されている。
なお、行先階登録装置３０Ａ〜３０ＣのデバイスＩＤ“Ｅ００００００１”、“Ｅ００００００２”、“Ｅ００００００３”に対しては、当該行先階登録装置３０Ａ〜３０Ｃのアドレス“Ｂ１”、“Ｂ２”、“Ｂ３”がそれぞれ記録されているが、集合表示装置８０Ａ及び８０Ｂのアドレス“Ｃ１”及び“Ｃ２”は記録されていない。行先階登録装置３０Ｄ〜３０Ｚにおいても同様である。
このように構成することにより、図１５のステップＳ１６において、ゲート表示器７０だけでなく集合表示装置８０Ａ、８０Ｂにも同時に受付番号を送信することができる。また、行先階登録装置３０Ａ〜３０Ｚで登録された場合には、集合表示装置８０Ａ、８０Ｂには受付番号を送信しないようにできる。
【０１７３】
実施形態２では、行先階登録装置３０は、実施形態１同様、行先階情報と割当号機情報とを対応付けた表示を行う。しかし、行先階登録装置３０においても、ゲート表示器７０同様、中継装置５０から受付番号を受信したとき（Ｊ３）に、受信した受付番号に基づいて整理番号のみを表示してもよい。この場合、行先階登録装置３０は、群管理制御装置１０に接続される必要はない。また、行先階登録装置３０は、表示処理として、図１７のフローチャートに代えて、図２４のフローチャートに基づいて処理を行えばよい。
【０１７４】
前記各実施形態では、割当号機情報を報知する報知装置は、行先階登録装置３０の表示部３４またはゲート表示器７０であり、割当号機情報を表示する。しかし、本発明の報知装置はこれに限らない。本発明の報知装置は、割当号機情報を音声で出力する音声出力装置であってもよい。
【０１７５】
前記各実施形態では、本発明の受付情報としての受付番号は、割当準備情報を受信したときに０〜９９９の間で１ずつインクリメントすることにより得られた整数である。しかし、受付番号は、割当準備情報を受信したときに０〜９９９の間の１０００個の整数の中からランダムにあるいは所定のルールにしたがって選択された整数であってもよい。なお、０〜９９９という数値範囲や１０００個という数は一例であることは言うまでもない。
【０１７６】
また、前記各実施形態では、受付情報は受付番号であるが、受付情報は、番号でなく、例えば、２６文字のアルファベットのうちの所定数（例えば２個あるいは３個）の文字でなる情報であってもよい。この場合、割当準備情報を受信したときに２６文字のアルファベットの中から所定数（例えば２個あるいは３個）の文字をランダムにあるいは所定のルールにしたがって選択すればよい。あるいは、アルファベットと数字との組み合わせでなる情報であってもよい。この場合、割当準備情報を受信したときに０から９の数字及び２６文字のアルファベットの中から所定数（例えば２個あるいは３個）の文字をランダムにあるいは所定のルールにしたがって選択すればよい。また、受付情報は、ひらがな、カタカナ、漢字、その他の文字情報、あるいはこれらの組み合わせであってもよい。
【０１７７】
前記各実施形態では、図８を参照して説明したように、カードリーダ２５は入出力インタフェース２３に接続されている。しかし、カードリーダ２５は制御部２１に接続されてもよい。この場合、カードリーダ２５で読み取られたカードＩＤは、制御部２１及び入出力インタフェース２３を介して、セキュリティサーバ１００に送信すればよい。また、カードリーダ２５が設置されたセキュリティゲート２０についてのデバイスＩＤは、カードリーダ２５からでなく制御部２１から、セキュリティサーバ１００に送信してもよい。
【０１７８】
なお、前記各実施形態では、セキュリティゲート２０及びセキュリティサーバ１００がビル側の設備であるとして説明した。しかし、セキュリティゲート２０及びセキュリティサーバ１００がエレベータ側の群管理システムを構成する設備として提供されてももちろんよい。
【０１７９】
（本発明と実施形態との対応）
前記各実施形態における行先階登録装置３０は、本発明における行先階情報取得装置の一例である。また、前記各実施形態におけるカードリーダ２５とセキュリティサーバ１００との組み合わせは、本発明における行先階情報取得装置の一例である。前記各実施形態におけるカードリーダ２５は、本発明における情報読取部の一例である。前記各実施形態におけるセキュリティサーバ１００は、本発明における行先階情報取得部の一例である。
【０１８０】
前記各実施形態における行先階登録装置３０は、本発明における報知装置の一例である。また、前記各実施形態におけるゲート表示器７０は、本発明における報知装置の一例である。また、前記各実施形態におけるゲート表示器７０は、本発明における表示装置の一例である。
【符号の説明】
【０１８１】
１０  群管理制御装置
１１  制御部
１２  記憶部
１３  入出力インタフェース
２０、２０Ａ〜２０Ｃ  セキュリティゲート
２０ａ  ゲート本体
２０ｉ  入口
２０ｅ  出口
２１  制御部
２２  記憶部
２３  入出力インタフェース
２５  カードリーダ
２６  第１センサ
２７  第２センサ
２８  ゲートフラッパ
３０、３０Ａ〜３０Ｚ  行先階登録装置
３１  制御部
３２  記憶部
３３  入出力インタフェース
３４  表示部
３５  操作部
４０、４０Ａ〜４０Ｆ  エレベータ制御装置
４１  制御部
４２  記憶部
４３  入出力インタフェース
５０  中継装置
５１  制御部
５２  記憶部
５３  入出力インタフェース
６０、６０Ａ〜６０Ｆ  エレベータ
７０  ゲート表示器
７１  制御部
７２  記憶部
７３  入出力インタフェース
７４  表示部
８０、８０Ａ、８０Ｂ  集合表示装置
８１  制御部
８２  記憶部
８３  入出力インタフェース
８４  表示部
１００  セキュリティサーバ
１０１  制御部
１０２  記憶部
１０３  入出力インタフェース
【図１】
0006459846.tif 000002
【図２】
0006459846.tif 000003
【図３】
0006459846.tif 000004
【図４】
0006459846.tif 000005
【図５】
0006459846.tif 000006
【図６】
0006459846.tif 000007
【図７】
0006459846.tif 000008
【図８】
0006459846.tif 000009
【図９】
0006459846.tif 000010
【図１０】
0006459846.tif 000011
【図１１】
0006459846.tif 000012
【図１２】
0006459846.tif 000013
【図１３】
0006459846.tif 000014
【図１４】
0006459846.tif 000015
【図１５】
0006459846.tif 000016
【図１６】
0006459846.tif 000017
【図１７】
0006459846.tif 000018
【図１８】
0006459846.tif 000019
【図１９】
0006459846.tif 000020
【図２０】
0006459846.tif 000021
【図２１】
0006459846.tif 000022
【図２２】
0006459846.tif 000023
【図２３】
0006459846.tif 000024
【図２４】
0006459846.tif 000025
【図２５】
0006459846.tif 000026